(57)【特許請求の範囲】
【請求項１】
水溶性繊維構造体と、前記構造体全体にわたって分布する複数の粒子とを含む水溶性単位用量物品であって、前水溶性繊維構造体が複数の繊維要素を含み、各繊維要素が、少なくとも１つのフィラメント形成材料及び第１の界面活性剤を含み、前記第１の界面活性剤が、７．５以下の親水性指数（ＨＩ）を特徴とし、前記粒子のそれぞれが第２の界面活性剤を含み、前記第２の界面活性剤が、７．５を超えるＨＩを特徴とするとともに、
前記第１の界面活性剤が、非アルコキシル化Ｃ６〜Ｃ２０直鎖状又は分枝鎖状アルキルサルフェート（ＡＳ）、Ｃ６〜Ｃ２０直鎖状アルキルベンゼンスルホネート（ＬＡＳ）、及びこれらの組み合わせからなる群から選択され、
前記粒子のそれぞれが、各粒子の総重量に対して１０．４％〜２０％のアルコキシル化ポリアルキレンイミンとシリカとを更に含むか、又はシリカを含まない、水溶性単位用量物品。
【請求項２】
前記第２の界面活性剤が、０．１〜１０の範囲の重量平均アルコキシル化度を有するＣ６〜Ｃ２０直鎖状又は分枝鎖状アルキルアルコキシル化サルフェート（ＡＡＳ）、５〜１５の範囲の重量平均アルコキシル化度を有するＣ６〜Ｃ２０アルキルアルコキシル化アルコール（ＡＡ）、及びこれらの組み合わせからなる群から選択される、請求項１に記載の水溶性単位用量物品。
【請求項３】
前記第１の界面活性剤が、前記繊維要素のそれぞれにおいて主界面活性剤として存在する、請求項１又は２に記載の水溶性単位用量物品。
【請求項４】
前記第２の界面活性剤が、前記粒子のそれぞれにおいて主界面活性剤として存在する、請求項１〜３のいずれか一項に記載の水溶性単位用量物品。
【請求項５】
前記粒子のそれぞれが、前記粒子の５重量％〜６０重量％の前記第２の界面活性剤を含む、請求項１〜４のいずれか一項に記載の水溶性単位用量物品。
【請求項６】
各繊維要素が、乾燥繊維要素基準で１０重量％〜９０重量％の前記第１の界面活性剤を含む、請求項１〜５のいずれか一項に記載の水溶性単位用量物品。
【請求項７】
前記水溶性単位用量物品が、構造化剤、ビルダー、ポリマー分散剤、酵素、酵素安定剤、漂白系、増白剤、色相剤、キレート剤、抑泡剤、コンディショニング剤、保湿剤、香料、香料マイクロカプセル、充填剤又はキャリア、アルカリ性系、ｐＨ制御系、緩衝剤、アルカノールアミン、蚊忌避剤、及びこれらの混合物からなる群から選択される活性剤を含む少なくとも１つの粒子を更に含む、請求項１〜６のいずれか一項に記載の水溶性単位用量物品。
【請求項８】
前記水溶性単位用量物品が、１つ以上の水不溶性材料を含む少なくとも１つの粒子を更に含む、請求項１〜７のいずれか一項に記載の水溶性単位用量物品。
【請求項９】
前記粒子が、粒度分布試験法に従って測定したとき、１５０μｍ〜１６００μｍのＤ５０粒径を有する、請求項１〜８のいずれか一項に記載の水溶性単位用量物品。
【請求項１０】
前記繊維要素が、フィラメント、繊維、又はこれらの混合物である、請求項１〜９のいずれか一項に記載の水溶性単位用量物品。
【請求項１１】
前記フィラメント形成材料がポリマーを含む、請求項１〜１０のいずれか一項に記載の水溶性単位用量物品。
【請求項１２】
前記繊維要素のそれぞれが、乾燥繊維要素基準で０重量％〜１５重量％の前記第２の界面活性剤を含む、請求項１〜１１のいずれか一項に記載の水溶性単位用量物品。
【請求項１３】
前記第２の界面活性剤が、０．１〜１０の範囲の重量平均アルコキシル化度を有するＣ６〜Ｃ２０直鎖状又は分枝鎖状ＡＡＳ界面活性剤である、請求項１〜１２のいずれか一項に記載の水溶性単位用量物品。
【請求項１４】
前記粒子のそれぞれが、前記各粒子の総重量に対して、０．５％〜２０％のポリアルキレングリコールを更に含む、請求項１〜１３のいずれか一項に記載の水溶性単位用量物品。
【発明の詳細な説明】
【技術分野】
【０００１】
水溶性繊維構造体と１つ以上の粒子とを含む水溶性単位用量物品の形態の、布地又は硬質表面上に活性剤を送達する家庭用ケア組成物、並びにその作製方法が本明細書に記載される。
【背景技術】
【０００２】
水溶性単位用量物品は、布地又は硬質表面処理組成物を投入する便利で、効率的で、かつ清潔な方法を提供するので、消費者に望まれている。水溶性単位用量物品は、一定投入量の処理組成物を提供し、それによって、過剰投入又は過少投入を回避する。繊維性水溶性単位用量物品に対する消費者の関心がますます高まってきている。このような物品に関連する技術は、消費者が達成しようとする作業を行うことを物品が可能にすると共に、所望の活性剤を提供するという面から進化し続けている。
【０００３】
消費者は、液体、粉末、及び水溶性フィルムで構成された単位用量物品などの従来の形態の布地処理組成物と同等以上の洗浄能力をもつ繊維性水溶性単位用量物品を望んでいる。従来の布地洗剤の配合者は、洗剤中に１種類を超える界面活性剤を組み込むことにより洗剤の洗浄性能を向上させ得ることを理解している。例えば、配合者は、より広範な汚れを処理するために、より親水性の高い界面活性剤、例えばアルキルアルコキシサルフェートと、より親水性の低い界面活性剤、例えば直鎖状アルキルベンゼンスルホネートとの組み合わせを組み込むことがある。しかしながら、繊維性水溶性単位用量物品に関連して、配合者は、アルキルアルコキシサルフェートなどのより親水性の高い界面活性剤を配合することにおける課題を発見した。
【０００４】
水溶性繊維（及びそれから作製される対応する構造体）は、界面活性剤などの活性剤及びフィラメント形成ポリマーを含む水性加工混合物から製造される。水溶性繊維の製造は、繊維が紡糸される際の表面積対重量比が非常に高いことから有利であり、それによって、固体形態を生成するために必要とされる乾燥エネルギー及び時間が著しく低減されると同時に、溶解を改善するために高度に開放された細孔構造が提供される。しかしながら、繊維を作製するための伸長レオロジーを促進するフィラメント形成ポリマーを含めることは、ゲル様レオロジー（すなわち、六方晶又は塊状ゲル構造）にも寄与し得、これは、加工混合物中のより親水性の高い界面活性剤の分散及び溶解を阻害することがある。また、得られる繊維構造体の洗浄液への溶解が減少することがある（それによって、布地に残渣が残る）。
【発明の概要】
【発明が解決しようとする課題】
【０００５】
したがって、繊維の加工性も、得られた物品の洗浄液への溶解も阻害することのない、より親水性の高い界面活性剤を含む繊維性水溶性単位用量物品を処方することが必要とされている。驚くべきことに、水溶性繊維構造体と活性剤含有粒子とを含む繊維性水溶性単位用量物品であって、当該粒子がより親水性の高い界面活性剤を含有し、当該繊維構造体の繊維がより親水性の低い界面活性剤を含有する物品を提供することにより、溶解性がより良好でありかつ洗浄性がより良好である繊維性水溶性単位用量物品を作製できることが見出された。
【課題を解決するための手段】
【０００６】
本開示は、水溶性繊維構造体と、当該構造体全体にわたって分布する複数の粒子とを含む水溶性単位用量物品であって、水溶性繊維構造体が複数の繊維要素を含み、各繊維要素が、少なくとも１つのフィラメント形成材料及び第１の界面活性剤を含み、第１の界面活性剤が、約７．５以下の親水性指数（Hydrophilic Index、ＨＩ）を特徴とし、当該粒子のそれぞれが第２の界面活性剤を含み、当該第２の界面活性剤が７．５を超えるＨＩを特徴とする、水溶性単位用量物品に関する。
【０００７】
本開示はまた、水溶性単位用量物品を作製する方法であって、少なくとも１つのフィラメント形成材料と約７．５以下の親水性指数（ＨＩ）を特徴とする第１の界面活性剤とを含むフィラメント形成組成物を紡糸ダイから紡糸して、複数の繊維要素を形成する工程と、粒子供給源によって提供される複数の粒子であって、当該粒子のそれぞれが、７．５を超えるＨＩを特徴とする第２の界面活性剤を含む、粒子を繊維要素と関連付けて、粒子及び繊維要素の混合物を有する粒子−繊維層を形成する工程と、粒子及び繊維要素の混合物を回収ベルト上に回収する工程と、を含む、方法に関する。
【０００８】
本発明はまた、本発明に係る物品を使用する洗濯方法であって、本発明に係る少なくとも１つの物品を、洗浄される洗濯物と一緒に洗濯機に入れる工程と、洗浄又はクリーニング作業を行う工程と、を含む、洗濯方法に関する。
【図面の簡単な説明】
【０００９】
【図１】多プライ繊維構造体の例の断面図の概略図である。
【図２】水溶性単位用量物品の例の断面図を示すマイクロＣＴスキャン画像である。
【図３】材料のプライを作製するプロセスである。
【発明を実施するための形態】
【００１０】
用語の定義
本発明の特性及び利点は、本発明の幅広い表現を与えるよう意図される例を含む以下の記述から明らかになる。様々な修正がこの記述及び本発明の実施から当業者には明白であろう。この範囲は開示される特定の形態に限定されるようには意図されず、本発明は、特許請求の範囲によって定義されるような本発明の趣旨及び範囲内に含まれる全ての修正、均等物、及び代替物を網羅する。
【００１１】
本明細書において使用するとき、「ｔｈｅ」、「ａ」及び「ａｎ」などの冠詞は、特許請求の範囲又は明細書において使用される場合、特許請求又は記載されているものの１つ以上のものを意味すると理解される。
【００１２】
本明細書で使用するとき、用語「含む（include）」、「含む（includes）」及び「含んでいる（including）」は、非限定であることが意図される。
【００１３】
「実質的に含まない」又は「実質的にない」という用語は、本明細書で使用するとき、その成分が完全に存在しないこと、又は単に不純物として若しくは別の成分の意図されない副産物として、その最少量であることのいずれかを指す。ある成分を「実質的に含まない」組成物とは、当該組成物が、当該組成物の約０．５重量％、０．２５重量％、０．１重量％、０．０５重量％、又は０．０１重量％未満、又は更には０重量％しか当該成分を含まないことを意味する。
【００１４】
用語「含む」は、用語「含む」が「からなる」又は「から本質的になる」ことを意味する実施形態も含むことを理解すべきである。
【００１５】
引用される特許文献及びその他の文献は全て、関連部分において、あたかもそれが本明細書に完全に再び述べられているかのように参照により組み込まれる。いかなる特許文献又はその他の文献の引用も、引用される特許文献及びその他の文献が本発明に対する先行技術であると認めるものではない。
【００１６】
本明細書において、別に指示がない限り、全ての濃度及び比率は、組成物の重量基準である。
【００１７】
本明細書の全体を通して記載される全ての最大数値限定は、それよりも小さい全ての数値限定を、かかるより小さい数値限定があたかも本明細書に明確に記載されているかのように含むものと理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００１８】
繊維性水溶性単位用量物品
本明細書で使用するとき、語句「水溶性単位用量物品」、「水溶性繊維構造体」、及び「水溶性繊維要素」は、単位用量物品、繊維構造体、及び繊維要素が水と混和性であることを意味する。換言すれば、単位用量物品、繊維構造体、又は繊維要素は、周囲条件で水と均質な溶液を形成することができる。「周囲条件」は、本明細書で使用するとき、２３℃±１．０℃及び相対湿度５０％±２％を意味する。水溶性単位用量物品は、水性洗浄条件で約２０マイクロメートル未満又は約５０マイクロメートル未満の懸濁平均粒径で分散可能である不溶性物質を含有していてもよい。
【００１９】
これら繊維性水溶性単位用量物品は、様々な洗浄条件下、例えば、低温、少ない水量及び／又は短い洗浄サイクル若しくは消費者が洗濯機に、特に高い吸水能を有する品目を入れすぎた場合のサイクルの下で溶解することができると同時に、（今日の液体製品と同様の性能で）対象とする消費者基材に対して、意図する効果を発揮するのに十分な活性剤を送達する。更に、本明細書に記載の水溶性単位用量物品は、活性剤を含む繊維を紡糸することによって、経済的に製造することができる。本明細書に記載の水溶性単位用量物品は、改善された洗浄性能も有する。
【００２０】
繊維性水溶性単位用量物品の表面は、印刷領域を含んでいてもよい。印刷領域は、物品の表面の約１０〜約１００％を網羅していてよい。印刷領域は、インク、顔料、染料、青味剤、又はこれらの混合物を含んでよい。印刷領域は、不透明でも、半透明でも、透明でもよい。印刷領域は、単色を含んでいても、複数の色を含んでいてもよい。印刷領域は、物品の１つを超える側面上に存在してよく、説明の文章及び／又は図形を含んでいてよい。水溶性単位用量物品の表面は、嫌悪剤、例えば、苦味剤を含んでいてよい。好適な苦味剤としては、ナリンギン、スクロース八酢酸、塩酸キニーネ、安息香酸デナトニウム、又はこれらの混合物が挙げられるが、これらに限定されない。任意の好適な濃度の嫌悪剤を使用してよい。好適な濃度としては、１〜５０００ｐｐｍ、又は更には１００〜２５００ｐｐｍ、又は更には２５０〜２０００ｐｐｍが挙げられるが、これらに限定されない。
【００２１】
本明細書に開示される水溶性単位用量物品は、水溶性繊維構造体及び１つ以上の粒子を含む。水溶性繊維構造体は、複数の繊維要素、例えば複数のフィラメントを含んでいてよい。１つ以上の粒子、例えば１つ以上の活性剤含有粒子は、構造体全体にわたって分布し得る。水溶性単位用量物品は、相互に絡み合っているか、ないしは別の方法で互いに関連付けられて繊維構造体を形成する複数の２つ以上及び／又は３つ以上の繊維要素と、当該繊維構造体全体にわたって分布し得る１つ以上の粒子とを含んでいてよい。
【００２２】
驚くべきことに、各水溶性物品中に存在する比較的より親水性の高い界面活性剤を、繊維構造体の繊維ではなく粒子に隔離することにより、溶解性がより良好でありかつ洗浄性がより良好である水溶性単位用量物品を作製できることが見出された。したがって、構造体の繊維は、比較的より親水性の低い第１の界面活性剤を含有し、一方、粒子は、比較的より親水性の高い第２の界面活性剤を含有する。より具体的には、本明細書に開示される水溶性単位用量物品は、水溶性繊維構造体と、当該構造体全体にわたって分布する複数の粒子とを含み得、当該水溶性繊維構造体は複数の繊維要素を含み、各繊維要素は、少なくとも１つのフィラメント形成材料及び第１の界面活性剤を含み、当該第１の界面活性剤は、約７．５以下の親水性指数（ＨＩ）を特徴とし、当該粒子のそれぞれは第２の界面活性剤を含み、当該第２の界面活性剤は、７．５を超えるＨＩを特徴とする。
【００２３】
第１の界面活性剤は、例えば、非アルコキシル化Ｃ６〜Ｃ２０直鎖状又は分枝鎖状アルキルサルフェート（alkyl sulfates、ＡＳ）、Ｃ６〜Ｃ２０直鎖状アルキルベンゼンスルホネート（linear alkylbenzene sulfonates、ＬＡＳ）、及びこれらの組み合わせからなる群から選択することができる。第２の界面活性剤は、例えば、約０．１〜約１０の範囲の重量平均アルコキシル化度を有するＣ６〜Ｃ２０直鎖状又は分枝鎖状アルキルアルコキシル化サルフェート（alkylalkoxylated sulfates、ＡＡＳ）、約５〜約１５の範囲の重量平均アルコキシル化度を有するＣ６〜Ｃ２０アルキルアルコキシル化アルコール（alkylalkoxylated alcohols、ＡＡ）、及びこれらの組み合わせからなる群から選択することができる。
【００２４】
本明細書で使用するとき、界面活性剤の「親水性指数」又は「ＨＩ」は、以下の等式によって計算される：
【００２５】
【数１】
0006884878.tif 000002
（式中、Ｍｈは界面活性剤中の全ての親水性基の分子量であり、ＭＴは界面活性剤の合計分子量である）。Ｍｈ及びＭＴは両方とも重量平均分子量を指す。例えば、約１１．８の平均アルキル鎖長を有する直鎖状アルキルベンゼンスルホネートは、約４．９７のＨＩ値を有する。別の例では、Ｃ１２〜Ｃ１４アルキルサルフェートは、約６．９８のＨＩ値を有する。更に別の例では、平均エトキシル化度が約１であるＣ１２〜Ｃ１４アルキルエトキシル化サルフェートは、約８．７８のＨＩ値を有し、平均エトキシル化度が約３であるＣ１２〜Ｃ１４アルキルエトキシル化サルフェートは、約１１．５７のＨＩ値を有する。更に別の例では、平均エトキシル化度が約７であるＣ１４〜Ｃ１５アルキルエトキシル化アルコールは、約１２．７３のＨＩ値を有し、平均エトキシル化度が約９であるＣ１２〜Ｃ１４アルキルエトキシル化アルコールは、約１４．７２のＨＩ値を有する。
【００２６】
第１の界面活性剤及び／又は第２の界面活性剤は、それぞれ、繊維要素及び／又は粒子のそれぞれにおける主界面活性剤であり得る。第１の界面活性剤は、Ｃ６〜Ｃ２０直鎖状アルキルベンゼンスルホネート（ＬＡＳ）であってよい。第２の界面活性剤は、約０．１〜約１０の範囲の重量平均アルコキシル化度を有するＣ６〜Ｃ２０直鎖状若しくは分枝鎖状ＡＡＳ界面活性剤、又は約１〜約５の範囲の重量平均アルコキシル化度を有するＣ１０〜Ｃ１６直鎖状若しくは分枝鎖状アルキルエトキシル化サルフェート（ＡＥＳ）であってよい。本明細書で使用するとき、用語「主界面活性剤」は、物品中の全ての界面活性剤の総重量に対して５０％以上の量でこのような物品中に存在する界面活性剤を指す。
【００２７】
繊維性水溶性単位用量物品は、本明細書に記載の厚さ試験法によって測定したとき、０．０１ｍｍ超、及び／又は０．０５ｍｍ超、及び／又は０．１ｍｍ超、及び／又は約１００ｍｍ以下、及び／又は約５０ｍｍ以下、及び／又は約２０ｍｍ以下、及び／又は約１０ｍｍ以下、及び／又は約５ｍｍ以下、及び／又は約２ｍｍ以下、及び／又は約０．５ｍｍ以下、及び／又は約０．３ｍｍ以下の厚さを呈し得る。
【００２８】
繊維性水溶性単位用量物品は、本明細書に記載の坪量試験法に従って測定したとき、約５００グラム／ｍ２〜約５，０００グラム／ｍ２、又は約１，０００グラム／ｍ２〜約４，０００グラム／ｍ２、又は約１，５００グラム／ｍ２〜約３，５００グラム／ｍ２、又は約２，０００グラム／ｍ２〜約３，０００グラム／ｍ２の坪量を有し得る。
【００２９】
繊維性水溶性単位用量物品は、水溶性繊維構造体と、当該構造体全体にわたって分布する複数の粒子とを含んでよく、当該水溶性繊維構造体は、組成上の観点から、同一又は実質的に同一の複数の繊維要素を含む。水溶性繊維構造体は、２つ以上の異なる繊維要素を含んでよい。繊維要素の相違点の非限定的な例は、直径、長さ、質感、形状、剛性、弾性の違いなどの物理的な違い；架橋レベル、溶解度、融点、Ｔｇ、活性剤、フィラメント形成材料、色、活性剤の濃度、坪量、フィラメント形成材料の濃度、繊維要素上の任意コーティングの存在、生分解性であるか否か、疎水性であるか否か、接触角などの化学的な違い；意図される使用条件に繊維要素が曝される場合に、繊維要素がその物理的構造を失うかどうかの違い；意図される使用条件に繊維要素が曝される場合に、繊維要素の形態が変化するかどうかの違い；及び意図される使用条件に繊維要素が曝される場合に、繊維要素が１つ以上のその活性剤を放出する速度の違いであってよい。繊維構造体内の２つ以上の繊維要素は、異なる活性剤を含んでいてよい。これは、異なる活性剤、例えばアニオン性界面活性剤及びカチオン性ポリマーが互いに不適合であり得る場合であり得る。異なる繊維要素を使用するとき、得られる構造体は、異なる湿潤、吸水、及び溶解度の特徴を呈し得る。
【００３０】
繊維性水溶性単位用量物品は、異なる領域、例えば坪量、密度、キャリパー（caliper）、及び／又は湿潤の特徴の異なる領域を呈し得る。繊維性水溶性単位用量物品は、端封点で圧縮されてもよい。繊維性水溶性単位用量物品は、その表面の１つ以上に織り目（texture）を含んでいてよい。繊維性水溶性単位用量物品の表面は、非ランダムな反復パターンなどのパターンを含んでいてよい。繊維性水溶性単位用量物品は、開口部を含んでいてよい。繊維性水溶性単位用量物品は、構造体における繊維要素の他の領域とは異なる、繊維要素の離散領域を有する繊維構造体を含んでいてよい。繊維性水溶性単位用量物品は、そのまま使用されてもよく、１つ以上の活性剤でコーティングされてもよい。
【００３１】
繊維性水溶性単位用量物品は、１つ以上のプライを含んでいてよい。繊維性水溶性単位用量物品は、少なくとも２つの、及び／又は少なくとも３つの、及び／又は少なくとも４つの、及び／又は少なくとも５つのプライを含んでいてよい。繊維性プライは、繊維構造体であり得る。各プライは、１つ以上の層、例えば、１つ以上の繊維要素層、１つ以上の粒子層、及び／又は１つ以上の繊維要素／粒子混合層を含んでいてよい。当該層は封止されてもよい。特に、粒子層及び繊維要素／粒子混合物層は、粒子が漏出しないように封止され得る。水溶性単位用量物品は、複数のプライを含んでいてよく、各プライは、１つの層が繊維要素層であり、１つの層が繊維要素／粒子混合層である２つの層を含み、複数のプライは一緒に封止される（例えば、縁部で）。封止は、粒子の漏出を阻止することに加えて、単位用量物品がその元の構造を維持するのに役立ち得る。しかしながら、水溶性単位用量物品を水に添加した際、単位用量物品は溶解して、粒子を洗浄液中に放出する。
【００３２】
図２は、３つのプライを含む水溶性単位用量物品の例の断面図を示すマイクロＣＴスキャン画像であり、図中、各プライは、繊維状要素層及び繊維要素／粒子混合物層の２つの層で形成されている。３つのプライのそれぞれは、複数の繊維要素３０、この場合フィラメントと、複数の粒子３２とを含む。多プライの多層物品は、粒子が漏出しないように縁部２００で封止される。物品２０２の外面は、繊維要素層である。
【００３３】
繊維要素及び／又は粒子は、異なる活性剤を含む２つ以上の領域を水溶性単位用量物品に提供するように、当該物品内、単一プライ内、又は複数のプライ内に配置され得る。例えば、物品の１つの領域は、漂白剤及び／又は界面活性剤を含んでいてよく、物品の別の領域は、柔軟剤を含んでいてよい。
【００３４】
繊維性水溶性単位用量物品は、消費者が水溶性物品と相互作用する形態から始まり、水溶性物品が作製される原材料、例えば、プライ、繊維構造体、及び粒子に向かって逆に作用するように階層的に見ることができる。繊維性プライは、繊維構造体であり得る。例えば、図１は、第１のプライ１０及び第１のプライ１０に関連付けられている第２のプライ１５を示し、第１のプライ１０及び第２のプライ１５はそれぞれ、複数の繊維要素３０、この場合フィラメントと複数の粒子３２とを含む。第２のプライ１５では、粒子３２は、ｘ軸、ｙ軸、及びｚ軸にランダムに分散しており、第１のプライでは、粒子３２はポケット内にある。
【００３５】
繊維構造体
繊維構造体は、１つ以上の繊維要素を含む。繊維要素は、互いに関連付けられて構造体を形成することができる。繊維構造体は、構造体内及び又は構造体上に粒子を含み得る。繊維構造体は、均質、層状、単一、ゾーン形、又は他の点で望ましいとおりであってよく、異なる活性剤が様々な前述の部分を画定する。
【００３６】
繊維構造体は、１つ以上の層を含んでいてよく、層は共にプライを形成する。
【００３７】
繊維要素
繊維要素は、水溶性であってよい。繊維要素は、１つ以上のフィラメント形成材料及び／又は界面活性剤などの１つ以上の活性剤を含んでよい。１つ以上の活性剤は、意図される使用条件に繊維要素及び／又は繊維要素を含む繊維構造体が曝されたときなどに、繊維要素から放出可能であり得る。
【００３８】
本発明の繊維要素は、好適な紡糸プロセス操作（例えばメルトブロー、スパンボンディング、エレクトロスピニング及び／又は回転紡糸など）を介して、繊維要素形成組成物とも称されるフィラメント形成組成物から紡糸され得る。
【００３９】
本明細書で使用するとき、「フィラメント形成組成物」及び／又は「繊維要素形成組成物」は、メルトブローイング及び／又はスパンボンディングなど、本発明の繊維要素を製造するのに好適な組成物を意味する。フィラメント形成組成物は、１つ以上のフィラメント形成材料であって、当該材料を繊維要素へと紡糸するのに好適なものにする特性を呈する材料を含む。フィラメント形成材料は、ポリマーを含み得る。１つ以上のフィラメント形成材料に加えて、フィラメント形成組成物は、１つ以上の活性剤、例えば、界面活性剤を含んでいてよい。更に、フィラメント形成組成物は、１つ以上の極性溶媒（例えば水）を含んでもよく、この極性溶媒中に、１つ以上（例えば全て）のフィラメント形成材料及び／又は１つ以上（例えば全て）の活性剤が、繊維要素（フィラメント形成組成物由来のフィラメントなど）を紡糸する前に、溶解され及び／又は分散される。
【００４０】
フィラメント形成組成物は、２つ以上の異なるフィラメント形成材料を含んでいてよい。したがって、繊維要素は、単成分（１種のフィラメント形成材料）、及び／又は二成分などの多成分であってよい。２つ以上の異なるフィラメント形成材料をランダムに組み合わせて繊維要素を形成してもよい。２つ以上の異なるフィラメント形成材料は、シースコア型の二成分繊維要素などのように規則正しく結合して繊維要素を形成してもよく、これは、本開示の目的において、異なるフィラメント形成材料のランダムな混合物であるとはみなされない。二成分繊維要素は、サイドバイサイド、シースコア、海島型などの任意の形態であってよい。
【００４１】
繊維要素はそれぞれ、少なくとも１つのフィラメント形成材料及び第１の界面活性剤（活性剤として）を含有していてよい。第１の界面活性剤は、比較的低い親水性（粒子に含有される第２の界面活性剤と比較して）を有していてよく、約７．５以下の親水性指数（ＨＩ）を特徴とし得る。このような第１の界面活性剤は、第２の界面活性剤と比較して、希釈されたときに粘稠なゲル様の六方晶相を形成する可能性が低い。（粒子ではなく）フィラメントの形成にこのような第１の界面活性剤を使用することにより、洗浄中のゲル形成を効果的に低減することができ、それによって、溶解がより速くなり得、洗浄液中の残渣が少なくなるか又はなくなり得る。
【００４２】
上述の第１の界面活性剤は、繊維要素のそれぞれにおいて主界面活性剤であってよく、すなわち、繊維要素中の全ての界面活性剤の総重量に対して約５０％以上の量で存在する。第１の界面活性剤は、約７．５以下、又は約４〜約７．５、又は約４．５〜約７のＨＩを特徴とし得る。第１の界面活性剤は、例えば、非アルコキシル化Ｃ６〜Ｃ２０直鎖状又は分枝鎖状アルキルサルフェート（alkyl sulfates、ＡＳ）、Ｃ６〜Ｃ２０直鎖状アルキルベンゼンスルホネート（linear alkylbenzene sulfonates、ＬＡＳ）、及びこれらの組み合わせからなる群から選択することができる。第１の界面活性剤は、Ｃ６〜Ｃ２０直鎖状アルキルベンゼンスルホネート（ＬＡＳ）であってよい。ＬＡＳ界面活性剤は、当該技術分野において周知であり、市販の直鎖状アルキルベンゼンをスルホン化することによって容易に入手することができる。使用することができる例示的なＣ６〜Ｃ２０直鎖状アルキルベンゼンスルホネートとしては、Ｃ６〜Ｃ２０直鎖状アルキルベンゼンスルホン酸のアルカリ金属、アルカリ土類金属、又はアンモニウムの塩、例えば、Ｃ１１〜Ｃ１８又はＣ１１〜Ｃ１４直鎖状アルキルベンゼンスルホン酸のナトリウム、カリウム、マグネシウム、及び／又はアンモニウムの塩が挙げられる。Ｃ１２直鎖状アルキルベンゼンスルホン酸のナトリウム塩又はカリウム塩、例えば、Ｃ１２直鎖状アルキルベンゼンスルホン酸のナトリウム塩、すなわちドデシルベンゼンスルホン酸ナトリウムを、第１の界面活性剤として使用してよい。
【００４３】
繊維要素は、乾燥繊維要素基準及び／又は乾燥繊維構造体基準で少なくとも約５重量％、及び／又は少なくとも約１０重量％、及び／又は少なくとも約１５重量％、及び／又は少なくとも約２０重量％、及び／又は約８０重量％未満、及び／又は約７５重量％未満、及び／又は約６５重量％未満、及び／又は約６０重量％未満、及び／又は約５５重量％未満、及び／又は約５０重量％未満、及び／又は約４５重量％未満、及び／又は約４０重量％未満、及び／又は約３５重量％未満、及び／又は約３０重量％未満、及び／又は約２５重量％未満のフィラメント形成材料と、乾燥繊維要素基準及び／又は乾燥繊維構造体基準で約２０重量％超、及び／又は少なくとも約３５重量％、及び／又は少なくとも約４０重量％、及び／又は少なくとも約４５重量％、及び／又は少なくとも約５０重量％、及び／又は少なくとも約５５重量％、及び／又は少なくとも約６０重量％、及び／又は少なくとも約６５重量％、及び／又は少なくとも約７０重量％、及び／又は約９５重量％未満、及び／又は約９０重量％未満、及び／又は約８５重量％未満、及び／又は約８０重量％未満、及び／又は約７５重量％未満の第１の界面活性剤とを含み得る。繊維要素は、乾燥繊維要素基準及び／又は乾燥繊維構造体基準で約８０重量％超の第１の界面活性剤を含み得る。
【００４４】
各繊維要素は、十分に高い合計界面活性剤含有量、例えば、乾燥繊維要素基準及び／又は乾燥繊維構造体基準で少なくとも約３０％、又は少なくとも約４０％、又は少なくとも約５０％、又は少なくとも約６０％、又は少なくとも約７０％の第１の界面活性剤を特徴とし得る。
【００４５】
繊維要素中に存在するフィラメント形成材料の合計濃度は、乾燥繊維要素基準及び／又は乾燥繊維構造体基準で約５重量％〜約８０重量％未満であってよく、繊維要素中に存在する第１の界面活性剤の合計濃度は、乾燥繊維要素基準及び／又は乾燥繊維構造体基準で約２０重量％超〜約９５重量％以下であってよい。
【００４６】
繊維要素は、７．５よりも高い親水性指数（ＨＩ）を特徴とする、（上述の第１の界面活性剤と比較して）比較的高い親水性を有する少量の界面活性剤、すなわち、以下に記載される第２の界面活性剤を含んでいてよい。繊維要素のそれぞれにおけるこのような第２の界面活性剤の量は、その加工安定性及びフィルム溶解性に影響を与えないように十分に少量、例えば、乾燥繊維要素基準及び／又は乾燥繊維構造体基準で約０重量％〜約１５重量％、又は約０重量％〜約１０重量％、又は約０重量％〜約５重量％、又は約０重量％〜約１重量％である。繊維要素は、（粒子における）第２の界面活性剤の好ましい選択肢であるアルキルアルコキシル化サルフェートを実質的に含んでいなくてよい。アルキルアルコキシル化サルフェートは、水に溶解したとき、特定の濃度範囲、例えば３０〜６０重量％で高度に粘稠な六方晶相を経験することがあり、その結果、ゲル状物質が生じる。したがって、繊維要素に相当量組み込まれた場合、アルキルアルコキシル化サルフェートは、水溶性単位用量物品の水への溶解を著しく減速させ、更により悪いことには、後で溶解していない固体が残る。それに対応して、このような界面活性剤の大部分は、粒子に配合される。
【００４７】
繊維要素の１つ以上は、他のアニオン性界面活性剤（すなわち、ＡＳ及びＬＡＳ以外）、非イオン性界面活性剤、双性イオン性界面活性剤、両性界面活性剤、カチオン性界面活性剤、及びこれらの組み合わせからなる群から選択される少なくとも１つの追加の界面活性剤を含んでいてよい。
【００４８】
他の好適なアニオン性界面活性剤としては、Ｃ６〜Ｃ２０直鎖状又は分枝鎖状アルキルスルホネート、Ｃ６〜Ｃ２０直鎖状又は分枝鎖状アルキルカルボキシレート、Ｃ６〜Ｃ２０直鎖状又は分枝鎖状アルキルホスフェート、Ｃ６〜Ｃ２０直鎖状又は分枝鎖状アルキルホスホネート、Ｃ６〜Ｃ２０アルキルＮ−メチルグルコースアミド、Ｃ６〜Ｃ２０メチルエステルスルホネート（methyl ester sulfonates、ＭＥＳ）、及びこれらの組み合わせが挙げられる。
【００４９】
好適な非イオン性界面活性剤としては、アルコキシル化脂肪族アルコールが挙げられる。非イオン性界面活性剤は、式Ｒ（ＯＣ２Ｈ４）ｎＯＨ（式中、Ｒは、約８個〜約１５個の炭素原子を含有する脂肪族炭化水素ラジカル、及びアルキル基が約８個〜約１２個の炭素原子を含有するアルキルフェニルラジカルからなる群から選択され、ｎの平均値は、約５〜約１５である）のエトキシル化アルコール及びエトキシル化アルキルフェノールから選択され得る。本明細書で有用な非イオン性界面活性剤の非限定的な例としては、Ｃ８〜Ｃ１８アルキルエトキシレート、例えば、Ｓｈｅｌｌ製のＮＥＯＤＯＬ（登録商標）非イオン性界面活性剤；アルコキシレート単位がエチレンオキシ単位、プロピレンオキシ単位、又はこれらの混合物であり得るＣ６〜Ｃ１２アルキルフェノールアルコキシレート；Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）；Ｃ１４〜Ｃ２２中鎖分枝状アルコール（branched alcohols、ＢＡ）；Ｃ１４〜Ｃ２２中鎖分枝状アルキルアルコキシレート（ＢＡＥｘ、式中、ｘは１〜３０である）；アルキル多糖類；具体的にはアルキルポリグリコシド；ポリヒドロキシ脂肪酸アミド、及びエーテルキャップ化ポリ（オキシアルキル化）アルコール界面活性剤が挙げられる。好適な非イオン性洗浄性界面活性剤としては、アルキルポリグルコシド及びアルキルアルコキシル化アルコールも挙げられる。好適な非イオン性界面活性剤はまた、商品名Ｌｕｔｅｎｓｏｌ（登録商標）としてＢＡＳＦから販売されているものを含む。
【００５０】
カチオン性界面活性剤の非限定的な例としては、四級アンモニウム界面活性剤が挙げられ、これは２６個以下の炭素原子を有していてよく、例としては、アルコキシレート四級アンモニウム（alkoxylate quaternary ammonium（ＡＱＡ））界面活性剤；ジメチルヒドロキシエチル四級アンモニウム；ジメチルヒドロキシエチルラウリルアンモニウムクロリド；ポリアミンカチオン性界面活性剤、カチオン性エステル界面活性剤、及びアミノ界面活性剤、例えば、アミドプロピルジメチルアミン（amido propyldimethyl amine（ＡＰＡ））が挙げられる。好適なカチオン性洗浄性界面活性剤としてはまた、アルキルピリジニウム化合物、アルキル四級アンモニウム化合物、アルキル四級ホスホニウム化合物、アルキル三級スルホニウム化合物、及びこれらの混合物も挙げられる。
【００５１】
好適カチオン性洗浄性界面活性剤は、下記の一般式：
（Ｒ）（Ｒ１）（Ｒ２）（Ｒ３）Ｎ＋Ｘ−
（式中、Ｒは、直鎖状又は分枝鎖状、置換又は非置換のＣ６〜１８アルキル又はアルケニル部分であり、Ｒ１及びＲ２は、独立して、メチル又はエチル部分から選択され、Ｒ３は、ヒドロキシル、ヒドロキシメチル、又はヒドロキシエチル部分であり、Ｘは、電荷の中性を提供するアニオンであり、好適なアニオンとしては、ハロゲン化物、例えば塩化物、硫酸、及びスルホン酸が挙げられる）を有する四級アンモニウム化合物である。好適なカチオン性洗浄性界面活性剤は、モノ−Ｃ６〜１８アルキルモノ−ヒドロキシエチルジメチル四級アンモニウムクロリドである。非常に好適なカチオン性洗浄性界面活性剤は、モノ−Ｃ８〜１０アルキルモノ−ヒドロキシエチルジメチル四級アンモニウムクロリド、モノ−Ｃ１０〜１２アルキルモノ−ヒドロキシエチルジメチル四級アンモニウムクロリド、及びモノ−Ｃ１０アルキルモノ−ヒドロキシエチルジメチル四級アンモニウムクロリドである。
【００５２】
双性イオン性界面活性剤の好適な例としては、複素環式二級及び三級アミンの誘導体を含む、二級及び三級アミンの誘導体；四級アンモニウム、四級ホスホニウム、又は三級スルホニウム化合物の誘導体；アルキルジメチルベタイン、ココジメチルアミドプロピルベタイン、並びにスルホ及びヒドロキシベタインを含むベタイン；Ｃ８〜Ｃ１８（例えば、Ｃ１２〜Ｃ１８）アミンオキシド；Ｎ−アルキル−Ｎ，Ｎ−ジメチルアミノ−１−プロパンスルホネート（アルキル基はＣ８〜Ｃ１８であってよい）が挙げられる。
【００５３】
好適な両性界面活性剤としては、二級若しくは三級アミンの脂肪族誘導体、又は脂肪族ラジカルが直鎖状若しくは分枝鎖状であってよく、脂肪族置換基のうちの１つが少なくとも約８個の炭素原子若しくは約８個〜約１８個の炭素原子を含有し、脂肪族置換基のうちの少なくとも１つがアニオン性水可溶化基、例えば、カルボキシ、スルホネート、サルフェートを含有する複素環式二級及び三級アミンの脂肪族誘導体が挙げられる。好適な両性界面活性剤としてはまた、サルコシネート、グリコシネート、タウリネート、及びこれらの混合物も挙げられる。
【００５４】
繊維要素は、アニオン性界面活性剤のみを含有する界面活性剤系、例えば、単一のアニオン性界面活性剤又は２つ以上の異なるアニオン性界面活性剤の組み合わせのいずれかを含んでいてよい。あるいは、繊維要素は、例えば、１つ以上のアニオン性界面活性剤と１つ以上の非イオン性界面活性剤との組み合わせ、又は１つ以上のアニオン性界面活性剤と１つ以上の双性イオン性界面活性剤との組み合わせ、又は１つ以上のアニオン性界面活性剤と１つ以上の両性界面活性剤との組み合わせ、又は１つ以上のアニオン性界面活性剤と１つ以上のカチオン性界面活性剤との組み合わせ、又は上記の種類の界面活性剤の全て（すなわち、アニオン性、非イオン性、両性、及びカチオン性）の組み合わせを含有する複合界面活性剤系を含んでいてもよい。
【００５５】
一般に、繊維要素は、長さが平均直径を大きく上回る、例えば、長さと平均直径との比が少なくとも約１０である細長い微粒子である。繊維要素は、フィラメント又は繊維であり得る。フィラメントは、相対的に繊維より長い。フィラメントは、約５．０８ｃｍ（２インチ）以上、及び／又は約７．６２ｃｍ（３インチ）以上、及び／又は約１０．１６ｃｍ（４インチ）以上、及び／又は約１５．２４ｃｍ（６インチ）以上の長さを有し得る。繊維は、約５．０８ｃｍ（２インチ）未満、及び／又は約３．８１ｃｍ（１．５インチ）未満、及び／又は約２．５４ｃｍ（１インチ）未満の長さを有し得る。
【００５６】
１つ以上のフィラメント形成材料及び活性剤は、約２．０以下、及び／又は約１．８５以下、及び／又は約１．７未満、及び／又は約１．６未満、及び／又は約１．５未満、及び／又は約１．３未満、及び／又は約１．２未満、及び／又は約１未満、及び／又は約０．７未満、及び／又は約０．５未満、及び／又は約０．４未満、及び／又は約０．３未満、及び／又は約０．１超、及び／又は約０．１５超、及び／又は約０．２超の、活性剤に対するフィラメント形成材料の合計濃度の重量比で繊維要素中に存在し得る。１つ以上のフィラメント形成材料及び活性剤は、約０．２〜約０．７の活性剤に対するフィラメント形成材料の合計濃度の重量比で繊維要素中に存在し得る。
【００５７】
繊維要素は、乾燥繊維要素基準及び／又は乾燥繊維構造体基準で約１０重量％〜約８０重量％未満のフィラメント形成材料、例えばポリビニルアルコールポリマー、デンプンポリマー、及び／又はカルボキシメチルセルロースポリマーと、乾燥繊維要素基準及び／又は乾燥繊維構造体基準で約２０重量％超〜約９０重量％の活性剤とを含んでいてよい。繊維要素は、可塑剤、例えばグリセリン及び／又はｐＨ調整剤、例えばクエン酸を更に含んでいてよい。繊維要素は、約２．０以下の、活性剤に対するフィラメント形成材料の重量比を有し得る。フィラメント形成材料は、ポリビニルアルコール、デンプン、カルボキシメチルセルロース、ポリエチレンオキシド、及び他の好適なポリマー、特にヒドロキシル含有ポリマー及びこれらの誘導体からなる群から選択され得る。フィラメント形成材料は、約１００，０００ｇ／モル〜約３，０００，０００ｇ／モルの重量平均分子量の範囲であり得る。この範囲では、フィラメント形成材料は、繊維作製プロセスにおいて繊維の細長化（attenuation）が阻害されるほど弾性ではないように、伸長レオロジーを提供し得ると考えられる。
【００５８】
１つ以上の活性剤は、意図される使用条件に繊維要素及び／又は繊維要素を含む繊維構造体が曝されたときに、放出可能であり得る及び／又は放出され得る。繊維要素中の１つ以上の活性剤は、界面活性剤、有機ポリマー化合物、及びこれらの混合物からなる群から選択され得る。繊維要素中の１つ以上の活性剤は、アニオン性界面活性剤、アルコキシル化アミン、及びこれらの混合物からなる群から選択され得る。繊維要素中の１つ以上の活性剤は、アルキルアルコキシサルフェート（例えば、アルキルエトキシサルフェート又はＡＥＳ）、アルコキシル化ポリアミン、エチレンオキシド−プロピレンオキシド−エチレンオキシド（ＥＯｘ１ＰＯｙＥＯｘ２）トリブロックコポリマーであって、ｘ１及びｘ２のそれぞれは、約２〜約１４０の範囲であり、ｙは、約１５〜約７０の範囲であるトリブロックコポリマー、及びこれらの混合物からなる群から選択され得る。好適な漂白剤について、以下により詳細に説明する。
【００５９】
繊維要素は、本明細書に記載の直径試験法に従って測定したとき、約３００μｍ未満、及び／又は約７５μｍ未満、及び／又は約５０μｍ未満、及び／又は約２５μｍ未満、及び／又は約１０μｍ未満、及び／又は約５μｍ未満、及び／又は約１μｍ未満の直径を呈し得る。繊維要素は、本明細書に記載の直径試験法に従って測定したとき、約１μｍを超える直径を呈し得る。繊維要素の直径を使用して、繊維要素中に存在する１つ以上の活性剤の放出速度、及び／又は繊維要素の物理的構造の損失及び／又は変化の速度を制御することができる。
【００６０】
繊維要素は、互いに適合性又は不適合である２つ以上の異なる活性剤を含んでいてよい。繊維要素は、繊維要素内の活性剤、及び繊維要素の外面上の活性剤、例えば繊維要素の活性剤コーティングを含み得る。繊維要素の外面上の活性剤は、繊維要素中に存在する活性剤と同じであってもよく、又はこれと異なっていてもよい。異なる場合は、活性剤は互いに相溶性であってもよく、又は非相溶性であってもよい。１つ以上の活性剤は、繊維要素全体に均一に分布又は実質的に均一に分布していてよい。１つ以上の活性剤は、繊維要素内に離散領域として分布してもよい。
【００６１】
粒子
本明細書に開示される水溶性単位用量物品は、繊維構造体内又は上に１つ以上の粒子を含んでいてよい。粒子は、水溶性であってよい。粒子は、可溶性及び／又は不溶性の材料を含有してもよく、不溶性材料は、水性洗浄条件で、約２０マイクロメートル未満の懸濁平均粒径で分散可能である。粒子は、水溶性であってよい、例えば不溶性材料を実質的に含んでいなくてよい。
【００６２】
粒子は、離散していてよい。本明細書で使用するとき、用語「離散」とは、肉眼の下、又は走査型電子顕微鏡（scanning electron microscope、ＳＥＭ）及び透過型電子顕微鏡（transmission electron microscope、ＴＥＭ）などの電子撮像装置の下で、互いに構造的に区別される粒子を指す。粒子は、肉眼下で互いに離散していてもよい。
【００６３】
本明細書で使用するとき、用語「粒子」は、微量の固体物質を指す。粒子は、粉末、顆粒、凝集体、封入物、マイクロカプセル、及び／又は小球であってよい。粒子は、噴霧乾燥、凝集、押出、造粒、封入、錠剤化（pastillation）、及びこれらの組み合わせなど、当該技術分野において周知の多くの方法を使用して作製され得る。粒子の形状は、球状、棒状、皿状、管状、四角形、矩形、円盤状、星状、又はフレーク状の規則的な又は不規則な形状であってよい。本明細書に開示される粒子は、概して非繊維性である。
【００６４】
粒子のそれぞれは、（上記の繊維要素によって含有される第１の界面活性剤と比較して）比較的高い親水性を有する第２の界面活性剤を含有していてよく、７．５を超える親水性指数（ＨＩ）を特徴とする。ＨＩ値が高いことから、第２の界面活性剤は、布地の洗浄及び染みの除去において非常に有効であるので、本明細書に開示される水溶性単位用量物品にそれを含めることが望ましい。しかしながら、より親水性の高いこのような第２の界面活性剤は、水に溶解しながら、粘稠なゲル様の六方晶相を形成し得る。したがって、第２の界面活性剤によって形成される粘稠な六方晶相が繊維要素の加工及び繊維構造体の形成に悪影響を及ぼす場合があるので、第２の界面活性剤を上述の繊維要素に配合することは困難である。第２の界面活性剤を繊維構造体全体にわたって分布する粒子に配合することによって、このような加工上の課題を容易に回避することができる。更に、第２の界面活性剤によって形成される粘稠な六方晶相は、使用中に水溶性単位用量物品の水への溶解を減速させ得るので、水に容易に分散することができる粒子に第２の界面活性剤を配合することも有用であり、これによって、洗浄中の水溶性単位用量物品の全体的な溶解が改善される。
【００６５】
粒子からの水が繊維構造体の構造的一体性を損なわせないように、粒子は、比較的低い水／水分含量（例えば、合計水／水分の約１０重量％以下、又は合計水／水分の約８重量％以下、又は全水分の約５重量％以下）、特に、比較的低い遊離／非結合水含量（約３重量％以下の遊離若しくは非結合水、又は約１重量％以下の遊離若しくは非結合水）を有していてよい。更に、粒子中の水分含量が制限されると、粒子自体のゲル化のリスクが低下する。粒子中に存在する水／水分含量は、以下の含水量試験法を用いて測定される。
【００６６】
粒子の嵩密度は、約５００ｇ／Ｌ〜約１０００ｇ／Ｌ、又は約６００ｇ／Ｌ〜約９００ｇ／Ｌ、又は約７００ｇ／Ｌ〜約８００ｇ／Ｌの範囲であってよい。
【００６７】
上記の繊維構造体及び繊維要素と同様に、粒子もまた、例えば各粒子の総重量に対して少なくとも約３０％、又は少なくとも約５０％、又は少なくとも約６０％、又は少なくとも約７０％の十分に高い界面活性剤含有量を特徴とする。
【００６８】
粒子のそれぞれは、第２の界面活性剤を含有していてよく、このような第２の界面活性剤は、約７．５を超えるＨＩを特徴とする。第２の界面活性剤は、例えば、約０．１〜約１０の範囲の重量平均アルコキシル化度を有するＣ６〜Ｃ２０直鎖状又は分枝鎖状アルキルアルコキシル化サルフェート（alkylalkoxylated sulfates、ＡＡＳ）、約５〜約１５の範囲の重量平均アルコキシル化度を有するＣ６〜Ｃ２０アルキルアルコキシル化アルコール（alkylalkoxylated alcohols、ＡＡ）、及びこれらの組み合わせからなる群から選択することができる。第２の界面活性剤は、約０．１〜約１０の範囲の重量平均アルコキシル化度を有するＣ６〜Ｃ２０直鎖状若しくは分枝鎖状ＡＡＳ界面活性剤、又は約１〜約５の範囲の重量平均アルコキシル化度を有するＣ１０〜Ｃ１６直鎖状若しくは分枝鎖状アルキルエトキシル化サルフェート（ＡＥＳ）であってよい。このようなＡＡＳ（例えば、ＡＥＳ）界面活性剤は、単独で又は他の界面活性剤と組み合わせて使用することができる。ＡＡＳ（例えば、ＡＥＳ）界面活性剤を、各粒子において主界面活性剤として使用してよい、すなわち、粒子中の全ての界面活性剤の総重量に対して５０％以上の量で存在し、一方、１つ以上の他の界面活性剤（アニオン性、非イオン性、両性、及び／又はカチオン性）は、このようなＡＡＳ（例えば、ＡＥＳ）の補助界面活性剤として存在してよい。
【００６９】
粒子中の第２の界面活性剤は、非イオン性界面活性剤であってよい。好適な非イオン性界面活性剤としては、式Ｒ（ＯＣ２Ｈ４）ｎＯＨ（式中、Ｒは、約８個〜約１５個の炭素原子を含有する脂肪族炭化水素ラジカル及びアルキル基が約８個〜約１２個の炭素原子を含有するアルキルフェニルラジカルからなる群から選択され、ｎの平均値は約５〜約１５である）のアルキルエトキシル化アルコール及びアルキルエトキシル化フェノールなどのアルキルアルコキシル化アルコールが挙げられる。非イオン性界面活性剤は、アルコール中に平均約１２個〜１４個の炭素原子を有し、アルコール１モル当たり約９モルのエチレンオキシドの平均エトキシル化度を有するエトキシル化アルコールから選択され得る。本明細書において有用な非イオン性界面活性剤の他の非限定的な例としては、Ｃ８〜Ｃ１８アルキルエトキシレート、例えば、Ｓｈｅｌｌ製のＮＥＯＤＯＬ（登録商標）非イオン性界面活性剤；アルコキシレート単位がエチレンオキシ単位、プロピレンオキシ単位、又はこれらの混合物であり得るＣ６〜Ｃ１２アルキルフェノールアルコキシレート；Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）；Ｃ１４〜Ｃ２２中鎖分枝状アルコール、Ｃ１４〜Ｃ２２中鎖分枝状アルキルアルコキシレート（ＢＡＥｘ、式中、ｘは１〜３０である）；アルキル多糖類、具体的にはアルキルポリグリコシド；ポリヒドロキシ脂肪酸アミド、及びエーテルキャップ化ポリ（オキシアルキル化）アルコール界面活性剤が挙げられる。好適な非イオン性界面活性剤はまた、商品名Ｌｕｔｅｎｓｏｌ（登録商標）としてＢＡＳＦから販売されているものを含む。
【００７０】
第２の界面活性剤として使用するための非イオン性界面活性剤は、５〜１５の範囲の重量平均アルコキシル化度を有するＣ６〜Ｃ２０アルキルアルコキシル化アルコール（ＡＡ）であってよく、これは、単独で又は上記のＡＡＳ若しくはＡＥＳ界面活性剤と組み合わせて粒子中に存在し得る。ＡＡは、主界面活性剤として、又は粒子中のＡＡＳ若しくはＡＥＳの補助界面活性剤として存在していてよい。ＡＡＳ（例えば、ＡＥＳ）界面活性剤は、粒子中の主界面活性剤として存在してよく、一方、ＡＡ界面活性剤は、例えば、約１：１５〜約１：２、又は約１：１０〜約１：３、又は約１：８〜約１：４の範囲の重量比で、このようなＡＡＳ又はＡＥＳ界面活性剤の補助界面活性剤として存在する。
【００７１】
第２の界面活性剤は、各粒子の総重量に対して、約２０％〜約９０％、又は約３０％〜約９０％、又は約４０％〜約９０％、又は約５０％〜約９０％の範囲の量で粒子のそれぞれ中に存在してよい。
【００７２】
上述のように比較的高いＨＩ値（すなわち、７．５超）の第２の界面活性剤に加えて、本明細書に記載の粒子は、繊維構造体について上に記載したとおり、他のアニオン性界面活性剤（すなわち、ＡＡＳ及びＡＥＳ以外）、両性界面活性剤、カチオン性界面活性剤、及びこれらの組み合わせからなる群から選択される１つ以上の追加の界面活性剤を含んでもよい。このような追加の界面活性剤は、各粒子の総重量に対して、約０％〜約５０％、又は約１％〜約４０％、又は約２％〜約３０％、又は約５％〜約２０％の範囲の量で粒子のそれぞれ中に存在してよい。このような追加の界面活性剤は、第２の界面活性剤のＨＩ値よりも低い（すなわち、７．５以下）ＨＩ値を特徴とし得る。例えば、このような追加の界面活性剤は、Ｃ６〜Ｃ２０直鎖状又は分枝鎖状ＬＡＳ、Ｃ６〜Ｃ２０直鎖状又は分枝鎖状ＡＳ、Ｃ６〜Ｃ２０直鎖状又は分枝鎖状アルキルスルホネート、Ｃ６〜Ｃ２０直鎖状又は分枝鎖状アルキルカルボキシレート、Ｃ６〜Ｃ２０直鎖状又は分枝鎖状アルキルホスフェート、Ｃ６〜Ｃ２０直鎖状又は分枝鎖状アルキルホスホネート、Ｃ６〜Ｃ２０アルキルＮ−メチルグルコースアミド、Ｃ６〜Ｃ２０メチルエステルスルホネート（ＭＥＳ）、及びこれらの組み合わせからなる群から選択されるアニオン性界面活性剤であってよい。粒子のそれぞれは、各粒子の総重量に対して約０％〜約５０％、又は約０％〜約３０％、又は約０％〜約２０％、又は約０％〜約１５％の上述の第１の界面活性剤を更に含んでいてよい。
【００７３】
上述の界面活性剤は、粒子の総重量に対して約５％〜約９０％、又は約１０％〜約９０％、又は約２０％〜約９０％、又は約３０％〜約９０％、及び又は約５０％〜約９０％の範囲の量で存在し得る界面活性剤系を形成し得る。第２の界面活性剤は、主界面活性剤として粒子中に存在してよく、すなわち、粒子中の界面活性剤系の総重量に対して５０％以上の量で存在する。
【００７４】
本明細書に記載の粒子は、（上記の界面活性剤に加えて）１つ以上の追加の活性剤を含んでよい。
【００７５】
第２の界面活性剤がＡＡＳ又はＡＥＳである場合、粒子のそれぞれは、このような粒子の総重量に対して約０．５％〜約２０％、又は約１％〜約１５％、又は約２％〜約１０％のレオロジー変性剤を更に含んでいてよい。本明細書で使用するとき、用語「レオロジー変性剤」は、濃縮界面活性剤の粘度及び弾性を実質的に低下させるように、濃縮界面活性剤、好ましくは中間状態の相構造を有する濃縮界面活性剤と相互作用する材料を意味する。好適なレオロジー変性剤としては、ソルビトールエトキシレート、グリセロールエトキシレート、ソルビタンエステル、タローアルキルエトキシル化アルコール、エチレンオキシド−プロピレンオキシド−エチレンオキシド（ＥＯｘ１ＰＯｙＥＯｘ２）トリブロックコポリマーであって、ｘ１及びｘ２のそれぞれは、約２〜約１４０の範囲であり、ｙは、約１５〜約７０の範囲であるトリブロックコポリマー、ポリエチレンイミン（polyethyleneimine、ＰＥＩ）、ＰＥＩのアルコキシル化変異体、好ましくはエトキシル化ＰＥＩ、Ｎ，Ｎ，Ｎ’，Ｎ’−テトラエトキシエチレンジアミン、及びこれらの混合物が挙げられるが、これらに限定されない。
【００７６】
レオロジー変性剤は、好ましくは、レオロジー変性剤が追加の洗剤機能性を有することを意味する「機能性レオロジー変性剤」である。場合によっては、本明細書で以下に記載される分散剤ポリマーが、機能性レオロジー変性剤としても機能し得る。レオロジー変性剤は、好ましくは、アルコキシル化ポリアルキレンイミン、エチレンオキシド−プロピレンオキシド−エチレンオキシド（ＥＯｘ１ＰＯｙＥＯｘ２）トリブロックコポリマーであって、ｘ１及びｘ２のそれぞれは、約２〜約１４０の範囲であり、ｙは、約１５〜約７０の範囲であるトリブロックコポリマー、Ｎ，Ｎ，Ｎ’，Ｎ’−テトラエトキシエチレンジアミン、及びこれらの混合物からなる群から選択される。
【００７７】
レオロジー変性剤は、ポリアルキレングリコールと組み合わせて、上記ポリマーのうちの１つ、例えば、エトキシル化ＰＥＩを含んでいてよい。第２の界面活性剤がＡＡＳ又はＡＥＳである場合、粒子のそれぞれは、このような各離散粒子の総重量に対して約０．５％〜約２０％、又は約１％〜約１５％、又は約２％〜約１０％のポリアルキレングリコールを更に含んでいてよい。ポリアルキレングリコールは、５００〜２０，０００ダルトン、又は約１０００〜１５，０００ダルトン、及び又は２０００〜８０００ダルトンの範囲の重量平均分子量を有するポリエチレングリコールであってよい。
【００７８】
アルコキシル化ポリアルキレンイミン：アルコキシル化ポリアルキレンイミンは、実験式（ＰＥＩ）ａ（ＣＨ２ＣＨ２Ｏ）ｂ（ＣＨ２ＣＨ２ＣＨ２Ｏ）ｃを有していてよく、ＰＥＩはポリエチレンイミンコアであり、ａは、変性前のＰＥＩコアの数平均分子量（ＭＷｎ）であり、約１００〜約１００，０００ダルトン、又は約２００〜約５０００ダルトン、又は約５００〜約１０００ダルトンの範囲であり、ｂは、ＰＥＩコア中の窒素原子当たりのエチレンオキシド（ＣＨ２ＣＨ２Ｏ）単位の重量平均数であって、０〜約６０、又は約１〜約５０、又は約５〜約４０、又は約１０〜約３０の範囲であり、ｃは、ＰＥＩコア中の窒素原子当たりのプロピレンオキシド（ＣＨ２ＣＨ２ＣＨ２Ｏ）単位の重量平均数であって、０〜約６０、又は０〜約４０、又は０〜約３０、又は０〜約２０の範囲である。
【００７９】
エチレンオキシド−プロピレンオキシド−エチレンオキシド（ＥＯｘ１ＰＯｙＥＯｘ２）トリブロックコポリマー：エチレンオキシド−プロピレンオキシド−エチレンオキシド（ＥＯｘ１ＰＯｙＥＯｘ２）トリブロックコポリマーにおいて、ｘ１及びｘ２のそれぞれは、約２〜約１４０の範囲であり、ｙは、約１５〜約７０の範囲である。エチレンオキシド−プロピレンオキシド−エチレンオキシド（ＥＯｘ１ＰＯｙＥＯｘ２）トリブロックコポリマーは、好ましくは、２０〜７０、好ましくは３０〜６０、より好ましくは４５〜５５のプロピレンオキシド単位の平均プロピレンオキシド鎖長を有する。
【００８０】
好ましくは、エチレンオキシド−プロピレンオキシド−エチレンオキシド（ＥＯｘ１ＰＯｙＥＯｘ２）トリブロックコポリマーは、約１０００〜約１０，０００ダルトン、好ましくは約１５００〜約８０００ダルトン、より好ましくは約２０００〜約７０００ダルトン、更により好ましくは約２５００〜約５０００ダルトン、最も好ましくは約３５００〜約３８００ダルトンの分子量を有する。
【００８１】
好ましくは、各エチレンオキシドブロック又は鎖は、独立して、２〜９０、好ましくは３〜５０、より好ましくは４〜２０のエチレンオキシド単位の平均鎖長を有する。好ましくは、コポリマーは、コポリマーの１０％〜９０％、好ましくは１５％〜５０％、最も好ましくは１５％〜２５％の複合エチレン−オキシドブロックを含む。最も好ましくは、総エチレンオキシド含量は、２つのエチレンオキシドブロックに等しく分けられる。本明細書において等しく分けられるとは、各エチレンオキシドブロックが平均でエチレンオキシド単位の総数の４０％〜６０％、好ましくは４５％〜５５％、更により好ましくは４８％〜５２％、最も好ましくは５０％を含み、両エチレンオキシドブロックの％が合計１００％になることを意味する。いくつかのエチレンオキシド−プロピレンオキシド−エチレンオキシド（ＥＯｘ１ＰＯｙＥＯｘ２）トリブロックコポリマーであって、ｘ１及びｘ２のそれぞれは、約２〜約１４０の範囲であり、ｙは、約１５〜約７０の範囲であるトリブロックコポリマーは、洗浄性を改善する。
【００８２】
好ましくは、コポリマーは、約３５００〜約３８００ダルトンの分子量、４５〜５５のプロピレンオキシド単位のプロピレンオキシド含量、並びにエチレンオキシドブロック当たり４〜２０のエチレンオキシド単位のエチレンオキシド含量を有する。
【００８３】
好ましくは、エチレンオキシド−プロピレンオキシド−エチレンオキシド（ＥＯｘ１ＰＯｙＥＯｘ２）トリブロックコポリマーは、１０００〜１０，０００ダルトン、好ましくは１５００〜８０００ダルトン、より好ましくは２０００〜７５００ダルトンの分子量を有する。好ましくは、コポリマーは、コポリマーの１０重量％〜９５重量％、好ましくは１２重量％〜９０重量％、最も好ましくは１５重量％〜８５重量％の複合エチレン−オキシドブロックを含む。いくつかのエチレンオキシド−プロピレンオキシド−エチレンオキシド（ＥＯｘ１ＰＯｙＥＯｘ２）トリブロックコポリマーであって、ｘ１及びｘ２のそれぞれは、約２〜約１４０の範囲であり、ｙは、約１５〜約７０の範囲であるトリブロックコポリマーは、溶解性を改善する。
【００８４】
好適なエチレンオキシド−プロピレンオキシド−エチレンオキシドトリブロックコポリマーは、ＢＡＳＦからＰｌｕｒｏｎｉｃ  ＰＥシリーズとして又はＤｏｗ  Ｃｈｅｍｉｃａｌ  ＣｏｍｐａｎｙからＴｅｒｇｉｔｏｌ  Ｌシリーズとして市販されている。特に好適な材料は、Ｐｌｕｒｏｎｉｃ  ＰＥ  ９２００である。
【００８５】
Ｎ，Ｎ，Ｎ’，Ｎ’−テトラ（２−ヒドロキシエチル）エチレンジアミン：Ｎ，Ｎ，Ｎ’，Ｎ’−テトラ（２−ヒドロキシエチル）エチレンジアミンは、キレート剤活性も有する好適な機能性レオロジー変性剤である。
【００８６】
粒度分布試験法に従って特性評価したとき、粒子のサイズ分布は、約１５０μｍ超かつ約１６００μｍ未満のＤ５０、又は２０５μｍ超及び約１０００μｍ未満のＤ５０、又は約３００μｍ超のＤ５０及び約８５０μｍ未満のＤ９０、又は約３５０μｍ超かつ約７００μｍ未満のＤ５０を有し得る。
【００８７】
粒度分布試験法に従って特性評価したとき、粒子のサイズ分布は、約１５０μｍ超のＤ２０及び約１４００μｍ未満のＤ８０、又は約２００μｍ超のＤ２０及び約１１８０μｍ未満のＤ８０、又は約２５０μｍ超のＤ２０及び約１０００μｍ未満のＤ８０を有し得る。
【００８８】
粒度分布試験法に従って特性評価したとき、粒子のサイズ分布は、約１５０μｍ超のＤ１０及び約１４００μｍ未満のＤ９０、又は約２００μｍ超のＤ１０及び約１１８０μｍ未満のＤ９０、又は約２５０μｍ超のＤ１０及び約１０００μｍ未満のＤ９０を有し得る。
【００８９】
本明細書に開示される粒子は、所望により、洗浄性能を支援若しくは強化するため、又はその審美性を改変するための１つ以上の他の活性剤（例えば、補助洗剤成分）を含んでいてもよい。このような補助洗剤成分の例示的な例としては、以下が挙げられる：（１）炭酸塩（重炭酸塩及びセスキ炭酸塩を含む）、硫酸塩、リン酸塩（トリポリリン酸塩、ピロリン酸塩、及びガラス質ポリマーメタリン酸塩によって例示される）、ホスホン酸塩、フィチン酸、ケイ酸塩、ゼオライト、クエン酸塩、ポリカルボン酸塩及びその塩（例えば、メリト酸、コハク酸、オキシジコハク酸、ポリマレイン酸、ベンゼン１，３，５−トリカルボン酸、カルボキシメチルオキシコハク酸、及びこれらの可溶性塩）、エーテルヒドロキシポリカルボン酸塩、無水マレイン酸とエチレン又はビニルメチルエーテルとのコポリマー、１，３，５−トリヒドロキシベンゼン−２，４，６−トリスルホン酸、３，３−ジカルボキシ−４−オキサ−１，６−ヘキサンジオエート、ポリ酢酸（例えば、エチレンジアミン四酢酸及びニトリロ三酢酸）及びその塩、脂肪酸（例えば、Ｃ１２〜Ｃ１８モノカルボン酸）などの無機及び／又は有機ビルダー；（２）アミノカルボン酸塩、アミノホスホン酸塩、多官能的に置換された芳香族キレート剤、及びこれらの混合物からなる群から選択される、鉄及び／又はマンガンキレート剤などのキレート剤；（３）水溶性エトキシル化アミン（特に、エトキシル化テトラエチレンペンタミン）などの粘土汚れ除去／再付着防止剤；（４）高分子ポリカルボン酸塩、アクリル酸／マレイン酸系コポリマー及びその水溶性塩、ヒドロキシプロピルアクリレート、マレイン酸／アクリル酸／ビニルアルコールターポリマー、ポリアスパラギン酸塩、及びポリグルタミン酸塩などのポリマー分散剤；（５）スチルベン、ピラゾリン、クマリン、カルボン酸、メチンシアニン、ジベンゾチフェン−５，５−ジオキシド、アゾール、５員及び６員環複素環などの誘導体が挙げられるがこれらに限定されない、蛍光増白剤；（６）モノカルボン酸脂肪酸及びその可溶性塩、高分子量炭化水素（例えば、パラフィン、ハロパラフィン、脂肪酸エステル、一価アルコールの脂肪酸エステル、脂肪族Ｃ１８〜Ｃ４０ケトンなど）、Ｎ−アルキル化アミノトリアジン、プロピレンオキシド、モノステアリルホスフェート、シリコーン又はその誘導体、二級アルコール（例えば、２−アルキルアルカノール）、及びこのようなアルコールとシリコーン油との混合物などの抑泡剤；（７）Ｃ１０〜Ｃ１６アルカノールアミド、Ｃ１０〜Ｃ１４モノエタノール及びジエタノールアミド、高起泡性界面活性剤（例えば、アミンオキシド、ベタイン、及びスルタイン）、並びに可溶性マグネシウム塩（例えば、ＭｇＣｌ２、ＭｇＳＯ４など）などの起泡促進剤；（８）スメクタイト粘土、アミン柔軟剤、及びカチオン性柔軟剤などの布地柔軟剤；（９）ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、並びにこれらの混合物などの移染防止剤；（１０）プロテアーゼ、アミラーゼ、リパーゼ、セルラーゼ、及びペルオキシダーゼ、並びにこれらの混合物などの酵素；（１１）カルシウム及び／又はマグネシウムイオンの水溶性供給源、ホウ酸又はホウ酸塩（酸化ホウ素、ホウ砂、及び他のアルカリ金属ホウ酸塩など）を含む酵素安定剤；（１２）過炭酸塩（例えば、炭酸ナトリウム過酸化水素化物、ピロリン酸ナトリウム過酸化水素化物、尿素過酸化水素化物、及び過酸化ナトリウム）、過硫酸塩、過ホウ酸塩、マグネシウムモノペルオキシフタレート六水和物、メタクロロ過安息香酸のマグネシウム塩、４−ノニルアミノ−４−オキソペルオキシ酪酸及びジペルオキシドデカン二酸、６−ノニルアミノ−６−オキソペルオキシカプロン酸、及び光活性化漂白剤（例えば、スルホン化亜鉛及び／又はアルミニウムフタロシアニン）などの漂白剤；（１３）ノナノイルオキシベンゼンスルホネート（nonanoyloxybenzene sulfonate、ＮＯＢＳ）、テトラアセチルエチレンジアミン（tetraacetyl ethylene diamine、ＴＡＥＤ）、（６−オクタンアミドカプロイル）オキシベンゼンスルホネート、（６−ノナンアミドカプロイル）オキシベンゼンスルホネート、（６−デカンアミドカプロイル）オキシベンゼンスルホネート、及びこれらの混合物を含むアミド由来の漂白活性化剤、ベンゾオキサジン型活性化剤、アシルラクタム活性化剤（特にアシルカプロラクタム及びアシルバレロラクタム）などの漂白活性化剤；並びに（１４）キャリア、ヒドロトロープ、加工助剤、染料又は顔料（特に色相染料）、香料（純香料及び香料マイクロカプセルの両方を含む）、及び固体充填剤が挙げられるがこれらに限定されない、任意の他の既知の洗剤補助成分。
【００９０】
他の粒子
上記の界面活性剤含有粒子に加えて、本明細書に記載の水溶性単位用量物品は、繊維構造体全体にわたって分布する他の粒子を更に含有していてよい。例えば、このような他の粒子は、可溶性及び／又は不溶性の材料を含んでいてよく、当該不溶性材料は、水性洗浄条件で約２０マイクロメートル未満の懸濁平均粒径で分散可能である。
【００９１】
他の粒子は、粉末、顆粒、凝集体、封入物、マイクロカプセル、及び／又は小球であってよい。他の粒子は、噴霧乾燥、凝集、押出、造粒、封入、錠剤化、及びこれらの組み合わせなど、当該技術分野において周知の多くの方法を使用して作製され得る。他の粒子の形状は、球状、棒状、皿状、管状、四角形、矩形、円盤状、星状、繊維状であってよく、規則的な又は不規則なランダム形状を有していてよい。
【００９２】
他の粒子は、粒度分布試験法に従って測定したとき、約１５０μｍ〜約１６００μｍのＤ５０粒径を有し得る。
【００９３】
他の粒子は、任意の固体の自由流動性粒子であってよく、以下のような化学的に異なる粒子の混合物を含んでいてよい：界面活性剤凝集体、界面活性剤押出品、界面活性剤ニードル、界面活性剤ヌードル、界面活性剤フレークを含む界面活性剤粒子（第２の界面活性剤を実質的に含まないもの）；リン酸塩粒子；ゼオライト粒子；ケイ酸塩粒子、特にナトリウムケイ酸塩粒子、炭酸塩粒子、特に炭酸ナトリウム粒子ポリマー粒子、例えばカルボキシレートポリマー粒子、セルロース系ポリマー粒子、デンプン粒子、ポリエステル粒子、ポリアミン粒子、テレフタレートポリマー粒子、ポリエチレングリコール粒子；審美粒子、例えば、有色ヌードル、ニードル、ラメラ粒子及びリング粒子；酵素粒子、例えば、プロテアーゼ顆粒、アミラーゼ顆粒、リパーゼ顆粒、セルラーゼ顆粒、マンナナーゼ顆粒、ペクチン酸リアーゼ顆粒、キシログルカナーゼ顆粒、漂白酵素顆粒、及びこれら酵素のいずれかの共顆粒（これら酵素顆粒は、硫酸ナトリウムを含み得る）；漂白剤粒子、例えば、過炭酸塩粒子、特に、例えば炭酸塩、硫酸塩、ケイ酸塩、ホウケイ酸塩、又はこれらの任意の組み合わせでコーティングされた過炭酸塩などのコーティングされた過炭酸塩粒子、過ホウ酸塩粒子、漂白活性化剤粒子、例えば、テトラアセチルエチレンジアミン粒子及び／又はアルキルオキシベンゼンスルホネート粒子、漂白触媒粒子、例えば、遷移金属触媒粒子、及び／又はイソキノリニウム漂白触媒粒子、予成形過酸粒子、特に、コーティングされた予成形過酸粒子；充填剤粒子、例えば、硫酸塩粒子及び塩化物粒子；粘土粒子、例えば、モンモリロナイト粒子及び粘土とシリコーンの粒子；凝集剤粒子、例えば、酸化ポリエチレン粒子；ワックス粒子、例えば、ワックス凝集物；シリコーン粒子、増白剤粒子；移染防止剤粒子；染料固着剤粒子；香料粒子、例えば、香料マイクロカプセル及びデンプン封入香料アコード粒子、又はプロ香料粒子、例えばシッフ塩基反応生成物粒子；色調染料粒子；キレート剤凝集物のようなキレート剤粒子；及びこれらの任意の組み合わせ。
【００９４】
有効成分
本明細書に記載の水溶性単位用量物品は、１つ以上の活性剤を含有してもよい。活性剤は、（上述のように）繊維要素中に、（上述のように）粒子中に、又は物品中に、プレミックスとして存在してよい。プレミックスは、例えば、水性吸収剤と組み合わされた活性剤のスラリーであってよい。活性剤は、界面活性剤、構造化剤、ビルダー、有機ポリマー化合物、酵素、酵素安定剤、漂白系、増白剤、色相剤、キレート剤、抑泡剤、コンディショニング剤、保湿剤、香料、香料マイクロカプセル、充填剤又はキャリア、アルカリ性系、ｐＨ制御系、緩衝剤、アルカノールアミン、及びこれらの混合物からなる群から選択され得る。
【００９５】
界面活性剤
界面活性剤は、アニオン性界面活性剤、非イオン性界面活性剤、カチオン性界面活性剤、双性イオン性界面活性剤、両性界面活性剤、両性電解質界面活性剤、及びそれらの混合物からなる群から選択され得る。
【００９６】
アニオン性界面活性剤
好適なアニオン性界面活性剤は酸形態で存在してもよく、酸形態は中和されて界面活性剤塩を形成してもよい。典型的な中和剤としては、水酸化物、例えば、ＮａＯＨ又はＫＯＨなどの金属対イオン塩基が挙げられる。酸形態のアニオン性界面活性剤の更なる好適な中和剤としては、アンモニア、アミン、又はアルカノールアミンが挙げられる。アルカノールアミンの非限定例としては、モノエタノールアミン、ジエタノールアミン、トリエタノールアミン、及び当該技術分野において既知の他の直鎖状又は分枝鎖状アルカノールアミンが挙げられる。好適なアルカノールアミンとしては、２−アミノ−１−プロパノール、１−アミノプロパノール、モノイソプロパノールアミン、又は１−アミノ−３−プロパノールが挙げられる。アミン中和は完全又は部分的に行われてもよく、例えば、アニオン性界面活性剤混合物の一部はナトリウム又はカリウムにより中和されてもよく、またアニオン性界面活性剤混合物の一部はアミン又はアルカノールアミンにより中和されてもよい。
【００９７】
相挙動を調節する手段としてアニオン性界面活性剤に塩を補給してもよく、好適な塩は、硫酸ナトリウム、硫酸マグネシウム、炭酸ナトリウム、クエン酸ナトリウム、ケイ酸ナトリウム、及びこれらの混合物からなる群から選択され得る。
【００９８】
好適なアニオン性界面活性剤の非限定例としては、任意の従来のアニオン性界面活性剤が挙げられる。これは、例えばアルコキシル化及び／又は非アルコキシル化アルキル硫酸塩材料用の硫酸塩洗浄性界面活性剤、及び／又はスルホン酸系洗浄性界面活性剤、例えばアルキルベンゼンスルホネートを含んでもよい。好適なアニオン性界面活性剤は、再生可能資源、廃棄物、石油、又はこれらの混合物に由来し得る。好適なアニオン性界面活性剤は、直鎖状、部分的に分枝鎖状、分枝鎖状、又はこれらの混合物であり得る。
【００９９】
アルコキシル化アルキル硫酸塩材料は、アルキルエーテル硫酸塩又はアルキルポリエトキシレート硫酸塩としても既知のエトキシル化アルキル硫酸塩界面活性剤を含む。エトキシル化アルキルサルフェートの例としては、水溶性塩、特にその分子構造中に約８個〜約３０個の炭素原子を含有するアルキル基並びにスルホン酸及びその塩を有する有機硫黄反応生成物のアルカリ金属、アンモニウム、及びアルキロールアンモニウムの塩が挙げられる。（「アルキル」という用語には、アシル基のアルキル部分が含まれる。いくつかの例では、アルキル基は、約１５個の炭素原子〜約３０個の炭素原子を含有する。他の例では、アルキルエーテル硫酸塩界面活性剤は、アルキルエーテル硫酸塩の混合物であってもよく、当該混合物は、約１２個〜３０個の炭素原子の範囲内、いくつかの例では約１２〜１５個の炭素原子の平均炭素鎖長の範囲内の平均（算術平均）炭素鎖長、及び約１モル〜４モルのエチレンオキシドの平均（算術平均）エトキシル化度、いくつかの例では１．８モルのエチレンオキシドの平均（算術平均）エトキシル化度を有する。更なる例では、アルキルエーテル硫酸塩界面活性剤は、約１０個の炭素原子〜約１８個の炭素原子の炭素鎖長、及び約１〜約６モルのエチレンオキシドのエトキシル化度を有していてよい。なお更なる例では、アルキルエーテル硫酸塩界面活性剤は、ピークのあるエトキシル化分布を含んでもよい。
【０１００】
非アルコキシル化アルキルサルフェートはまた、本開示の洗剤組成物に添加され、アニオン性界面活性剤構成成分として使用されてもよい。非アルコキシル化、例えば、非エトキシル化アルキル硫酸塩界面活性剤の例としては、高級Ｃ８〜Ｃ２０脂肪族アルコールの硫酸化によって生成されるものが挙げられる。いくつかの例では、一級アルキルサルフェート界面活性剤は、一般式：ＲＯＳＯ３−Ｍ＋（式中、Ｒは、典型的には、直鎖状Ｃ８〜Ｃ２０ヒドロカルビル基（この基は、直鎖状であっても分枝鎖状であってもよい）であり、Ｍは、水可溶化カチオンである）を有する。いくつかの例では、Ｒは、Ｃ１０〜Ｃ１８アルキルであり、Ｍは、アルカリ金属である。他の例では、Ｒは、Ｃ１２／Ｃ１４アルキルであり、Ｍは、ナトリウム、例えば天然アルコールに由来するものである。
【０１０１】
他の有用なアニオン性界面活性剤は、アルキル基が約９個〜約１５個の炭素原子を直鎖状（線状）又は分枝鎖状の配置で含有する、アルキルベンゼンスルホネートのアルカリ金属塩を含み得る。いくつかの例では、アルキル基は、直線状である。かかる直鎖状アルキルベンゼンスルホネートは、「ＬＡＳ」として既知である。他の例では、直鎖状アルキルベンゼンスルホネートは、アルキル基中に約１１〜１４個の平均炭素原子数を有していてよい。具体的な例では、線状直鎖状アルキルベンゼンスルホネートは、アルキル基中に約１１．８個の炭素原子の平均炭素原子数を有していてよく、これはＣ１１．８ＬＡＳと略される場合もある。
【０１０２】
好適なアルキルベンゼンスルホネート（ＬＡＳ）は、市販の直線状アルキルベンゼン（ＬＡＢ）をスルホン化することによって得ることができる。好適なＬＡＢとしては、商標名Ｉｓｏｃｈｅｍ（登録商標）としてＳａｓｏｌによって供給されているもの又は商標名Ｐｅｔｒｅｌａｂ（登録商標）としてＰｅｔｒｓａによって供給されているものなどの低２−フェニルＬＡＢが挙げられ、他の好適なＬＡＢとしては、商標名Ｈｙｂｌｅｎｅ（登録商標）としてＳａｓｏｌによって供給されているものなどの高２−フェニルＬＡＢが挙げられる。好適なアニオン性洗浄性界面活性剤は、ＤＥＴＡＬ触媒プロセスによって得られるアルキルベンゼンスルホネートであるが、ＨＦなどの他の合成経路が好適な場合もある。一態様では、ＬＡＳのマグネシウム塩が用いられる。
【０１０３】
好適なアルキルベンゼンスルホネートの別の例は、芳香環がアルキル鎖の２又は３位に結合している分枝、例えばメチル分枝を含有する位置異性体である、修飾ＬＡＳ（ＭＬＡＳ）である。
【０１０４】
アニオン性界面活性剤は、Ｃ２位で１００％分岐している（Ｃ１は、アルコキシル化サルフェート部分に共有結合している炭素原子である）２−アルキル分岐一級アルキルサルフェートを含み得る。２−アルキル分岐アルキルサルフェート及び２−アルキル分岐アルキルアルコキシサルフェートは、一般に、２−アルキル分岐アルコール（疎水性物質として）に由来する。オキソプロセスに由来する２−アルキル分岐アルコール、例えば、２−アルキル−１−アルカノール又は２−アルキル一級アルコールは、Ｓａｓｏｌから市販されており、例えば、ＬＩＡＬ（登録商標）、ＩＳＡＬＣＨＥＭ（登録商標）（分留プロセスによりＬＩＡＬ（登録商標）アルコールから調製される）である。Ｃ１４／Ｃ１５分枝状一級アルキルサルフェートも市販されており、例えば、すなわち、ＬＩＡＬ（登録商標）１４５サルフェートである。
【０１０５】
アニオン性界面活性剤は、中鎖分枝状アニオン性界面活性剤、例えば、中鎖分枝状アルキルサルフェート及び／又は中鎖分枝状アルキルベンゼンスルホネートなどの中鎖分枝状アニオン性洗浄性界面活性剤を含み得る。
【０１０６】
更なる好適なアニオン性界面活性剤には、メチルエステルスルホネート、パラフィンスルホネート、α−オレフィンスルホネート、及び内部オレフィンスルホネートが含まれる。
【０１０７】
非イオン性界面活性剤
好適な非イオン性界面活性剤としては、アルコキシル化脂肪族アルコールが挙げられる。非イオン性界面活性剤は、式Ｒ（ＯＣ２Ｈ４）ｎＯＨ（式中、Ｒは、約８個〜約１５個の炭素原子を含有する脂肪族炭化水素ラジカル、及びアルキル基が約８個〜約１２個の炭素原子を含有するアルキルフェニルラジカルからなる群から選択され、ｎの平均値は、約５〜約１５である）のエトキシル化アルコール及びエトキシル化アルキルフェノールから選択され得る。
【０１０８】
本明細書において有用な非イオン性界面活性剤の他の非限定的な例としては、Ｃ８〜Ｃ１８アルキルエトキシレート、例えば、Ｓｈｅｌｌ製のＮＥＯＤＯＬ（登録商標）非イオン性界面活性剤；アルコキシレート単位がエチレンオキシ単位、プロピレンオキシ単位、又はこれらの混合物であり得るＣ６〜Ｃ１２アルキルフェノールアルコキシレート；Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）；Ｃ１４〜Ｃ２２中鎖分枝状アルコール（ＢＡ）；Ｃ１４〜Ｃ２２中鎖分枝状アルキルアルコキシレート（ＢＡＥｘ、式中、ｘは１〜３０である）；アルキル多糖類；具体的にはアルキルポリグリコシド；ポリヒドロキシ脂肪酸アミド、及びエーテルキャップ化ポリ（オキシアルキル化）アルコール界面活性剤が挙げられる。
【０１０９】
好適な非イオン性洗浄性界面活性剤は、アルキルポリグルコシド及びアルキルアルコキシル化アルコールも含む。好適な非イオン性界面活性剤はまた、商品名Ｌｕｔｅｎｓｏｌ（登録商標）としてＢＡＳＦから販売されているものを含む。
【０１１０】
カチオン性界面活性剤
カチオン性界面活性剤の非限定的な例としては、四級アンモニウム界面活性剤が挙げられ、これは２６個以下の炭素原子を有していてよく、例としては、アルコキシレート四級アンモニウム（alkoxylate quaternary ammonium（ＡＱＡ））界面活性剤；ジメチルヒドロキシエチル四級アンモニウム；ジメチルヒドロキシエチルラウリルアンモニウムクロリド；ポリアミンカチオン性界面活性剤、カチオン性エステル界面活性剤、及びアミノ界面活性剤、例えば、アミドプロピルジメチルアミン（amido propyldimethyl amine（ＡＰＡ））が挙げられる。
【０１１１】
好適なカチオン性洗浄性界面活性剤としてはまた、アルキルピリジニウム化合物、アルキル四級アンモニウム化合物、アルキル四級ホスホニウム化合物、アルキル三級スルホニウム化合物、及びこれらの混合物も挙げられる。
【０１１２】
好適カチオン性洗浄性界面活性剤は、下記の一般式：
（Ｒ）（Ｒ１）（Ｒ２）（Ｒ３）Ｎ＋Ｘ−
（式中、Ｒは、直鎖状又は分枝鎖状、置換又は非置換のＣ６〜１８アルキル又はアルケニル部分であり、Ｒ１及びＲ２は、独立して、メチル又はエチル部分から選択され、Ｒ３は、ヒドロキシル、ヒドロキシメチル、又はヒドロキシエチル部分であり、Ｘは、電荷の中性を提供するアニオンであり、好適なアニオンとしては、ハロゲン化物、例えば塩化物、硫酸、及びスルホン酸が挙げられる）を有する四級アンモニウム化合物である。好適なカチオン性洗浄性界面活性剤は、モノ−Ｃ６〜１８アルキルモノ−ヒドロキシエチルジメチル四級アンモニウムクロリドである。非常に好適なカチオン性洗浄性界面活性剤は、モノ−Ｃ８〜１０アルキルモノ−ヒドロキシエチルジメチル四級アンモニウムクロリド、モノ−Ｃ１０〜１２アルキルモノ−ヒドロキシエチルジメチル四級アンモニウムクロリド、及びモノ−Ｃ１０アルキルモノ−ヒドロキシエチルジメチル四級アンモニウムクロリドである。
【０１１３】
双性イオン性界面活性剤
好適な双性イオン性界面活性剤としては、二級及び三級アミンの誘導体、複素環式二級及び三級アミンの誘導体、又は四級アンモニウム、四級ホスホニウム、若しくは三級スルホニウム化合物の誘導体が挙げられる。双性イオン性界面活性剤の好適な例としては、アルキルジメチルベタイン及びココジメチルアミドプロピルベタイン、Ｃ８〜Ｃ１８（例えば、Ｃ１２〜Ｃ１８）アミンオキシド、並びにアルキル基がＣ８〜Ｃ１８であってよいＮ−アルキル−Ｎ，Ｎ−ジメチルアミノ−１−プロパンスルホネートなどのスルホ及びヒドロキシベタインを含むベタインが挙げられる。
【０１１４】
両性界面活性剤
好適な両性界面活性剤としては、二級若しくは三級アミンの脂肪族誘導体、又は脂肪族ラジカルが直鎖状若しくは分枝鎖状であってよく、脂肪族置換基のうちの１つが少なくとも約８個の炭素原子若しくは約８個〜約１８個の炭素原子を含有し、脂肪族置換基のうちの少なくとも１つがアニオン性水可溶化基、例えば、カルボキシ、スルホネート、サルフェートを含有する複素環式二級及び三級アミンの脂肪族誘導体が挙げられる。好適な両性界面活性剤としてはまた、サルコシネート、グリコシネート、タウリネート、及びこれらの混合物も挙げられる。
【０１１５】
酵素
好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、例えば、プロテアーゼ及びリパーゼをアミラーゼと共に含んでよい酵素カクテルである。洗剤組成物中に存在するとき、上記の追加の酵素は、当該組成物の約０．００００１重量％〜約２重量％、約０．０００１重量％〜約１重量％、又は更には約０．００１重量％〜約０．５重量％の酵素タンパク質濃度で存在していてよい。本明細書に開示される組成物は、リパーゼ、アミラーゼ、プロテアーゼ、マンナナーゼ、セルラーゼ、ペクチナーゼ、及びこれらの混合物からなる群から選択され得る、約０．００１重量％〜約１重量％の酵素（添加剤として）を含み得る。
【０１１６】
ビルダー
好適なビルダーとしては、アルミノケイ酸塩（例えば、ゼオライトＡ、ゼオライトＰ及びゼオライトＭＡＰなどのゼオライトビルダー）、ケイ酸塩、リン酸塩、例えば、ポリリン酸塩（例えば、トリ−ポリリン酸ナトリウム）、具体的にはそのナトリウム塩；炭酸塩、重炭酸塩、セスキ炭酸塩、及び炭酸ナトリウム又はセスキ炭酸塩以外の炭酸塩鉱物；有機モノ−、ジ−、トリ−、及びテトラカルボキシレート、特に、酸、ナトリウム、カリウム、又はアルカノールアンモニウム塩形態の水溶性非界面活性剤カルボキシレート、並びに脂肪族及び芳香族の種類を含むオリゴマー又は水溶性低分子量ポリマーカルボキシレート、並びにフィチン酸が挙げられる。更なる好適な洗剤ビルダーは、クエン酸、乳酸、脂肪酸、ポリカルボキシレートビルダー、例えばアクリル酸のコポリマー、アクリル酸及びマレイン酸のコポリマー、並びにアクリル酸及び／又はマレイン酸、及び多様な種類の追加の官能基を有する他の好適なエチレン系モノマーのコポリマーから選択されてもよい。代替的に、組成物はビルダーを実質的に含まなくてもよい。
【０１１７】
ポリマー分散剤
好適なポリマー分散剤としては、カルボキシメチルセルロース、ポリ（ビニル−ピロリドン）、ポリ（エチレングリコール）、エチレンオキシド−プロピレンオキシド−エチレンオキシド（ＥＯｘ１ＰＯｙＥＯｘ２）トリブロックコポリマーであって、ｘ１及びｘ２のそれぞれは、約２〜約１４０の範囲であり、ｙは、約１５〜約７０の範囲であるトリブロックコポリマー、ポリ（ビニルアルコール）、ポリ（ビニルピリジン−Ｎ−オキシド）、ポリ（ビニルイミダゾール）、ポリカルボキシレート、例えばポリアクリレート、マレイン酸／アクリル酸コポリマー、及びラウリルメタクリレート／アクリル酸コポリマーが挙げられる。
【０１１８】
好適なポリマー分散剤としては、以下の一般構造：ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）（式中、ｎ＝２０〜３０であり、ｘ＝３〜８である）を有する化合物、又はその硫酸化若しくはスルホン化変異体などの両親媒性洗浄ポリマーが挙げられる。
【０１１９】
好適なポリマー分散剤は、布地及び表面からグリース粒子を除去するように、バランスの取れた親水性と疎水性を有する両親媒性アルコキシル化グリース洗浄ポリマーを含む。両親媒性アルコキシル化グリース洗浄ポリマーは、コア構造及びそのコア構造に結合した複数のアルコキシレート基（alkoxylate group）を含んでもよい。これらは、例えば内側ポリエチレンオキシドブロック及び外側ポリプロピレンオキシドブロックを有するアルコキシル化ポリアルキレンイミンを含み得る。このような化合物としては、エトキシル化ポリエチレンイミン、エトキシル化ヘキサメチレンジアミン、及びこれらを硫酸化したものが挙げられるが、これらに限定されない。ポリプロポキシル化誘導体も包含させることができる。多種多様なアミン及びポリアルキレンイミンを様々な程度にアルコキシル化することができる。有用な例は、ＮＨ１個当たり２０ＥＯ基までエトキシル化されている６００ｇ／モルポリエチレンイミンコアであり、ＢＡＳＦから入手可能である。本明細書に記載の洗剤組成物は、洗剤組成物の約０．１重量％〜約１０重量％、いくつかの例では、約０．１重量％〜約８重量％、他の例では、約０．１重量％〜約６重量％のアルコキシル化ポリアミンを含み得る。
【０１２０】
好適なポリマー分散剤としては、カルボキシレートポリマーが挙げられる。所望によりスルホン化されていてもよい好適なカルボキシレートポリマーとしては、マレアート／アクリレートランダムコポリマー又はポリ（メタ）アクリレートホモポリマーが挙げられる。一態様では、カルボキシレートポリマーは、４，０００Ｄａ〜９，０００Ｄａ又は６，０００Ｄａ〜９，０００Ｄａの分子量を有するポリ（メタ）アクリレートホモポリマーである。
【０１２１】
好適なポリマー分散剤としては、グリース除去を提供するためにも使用することができるアルコキシル化ポリカルボキシレートが挙げられる。化学的に、これら物質は、７〜８個の（メタ）アクリレート単位ごとに１本のエトキシ側鎖を有するポリ（メタ）アクリレートを含む。側鎖は、式−（ＣＨ２ＣＨ２Ｏ）ｍ（ＣＨ２）ｎＣＨ３（式中、ｍは、２〜３であり、ｎは、６〜１２である）のものである。側鎖は、ポリアクリレート「骨格鎖」にエステル結合され、「櫛形」ポリマー型構造を提供する。分子量は、変動し得るが、約２０００〜約５０，０００の範囲内であってよい。本明細書に記載の洗剤組成物は、洗剤組成物の約０．１重量％〜約１０重量％、いくつかの例では、約０．２５重量％〜約５重量％、他の例では、約０．３重量％〜約２重量％のアルコキシル化ポリカルボキシレートを含み得る。
【０１２２】
好適なポリマー分散剤としては、両親媒性グラフトコポリマーが挙げられる。好適な両親媒性グラフトコポリマーは、（ｉ）ポリエチレングリコール骨格鎖と、（ｉｉ）ポリ酢酸ビニル、ポリビニルアルコール及びこれらの混合物から選択される少なくとも１つのペンダント部分と、を含む。好適な両親媒性グラフトコポリマーは、ＢＡＳＦから供給されているＳｏｋａｌａｎ（登録商標）ＨＰ２２である。好適なポリマーは、ランダムグラフトコポリマー、例えば、ポリエチレンオキシド骨格鎖と複数のポリビニルアセテート側鎖とを有するポリ酢酸ビニルグラフト化ポリエチレンオキシドコポリマーを含む。ポリエチレンオキシド骨格鎖の分子量は、典型的には約６０００であり、ポリエチレンオキシドのポリ酢酸ビニルに対する重量比は、約４０〜６０であり、５０のエチレンオキシド単位当たりグラフト点は１個以下である。
【０１２３】
汚れ放出ポリマー
好適な汚れ放出ポリマーは、以下の構造（Ｉ）、（ＩＩ）、又は（ＩＩＩ）のうちの１つによって定義される構造を有する：
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
（式中、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅで置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−若しくはテトラ−アルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５及びＲ６は、独立して、Ｈ又はＣ１〜Ｃ１８ｎ−若しくはイソ−アルキルから選択され、
Ｒ７は、直鎖状若しくは分枝鎖状Ｃ１〜Ｃ１８アルキル、又は直鎖状若しくは分枝鎖状Ｃ２〜Ｃ３０アルケニル、又は５個〜９個の炭素原子を有するシクロアルキル基、又はＣ８〜Ｃ３０アリール基、又はＣ６〜Ｃ３０アリールアルキル基である）。
【０１２４】
好適な汚れ放出ポリマーは、Ｒｈｏｄｉａによって供給されているＲｅｐｅｌ−ｏ−ｔｅｘ  ＳＦ、ＳＦ−２及びＳＲＰ６を含むＲｅｐｅｌ−ｏ−ｔｅｘポリマーなどのポリエステル汚れ放出ポリマーである。他の好適な汚れ放出ポリマーとしては、Ｃｌａｒｉａｎｔによって供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５を含むＴｅｘｃａｒｅポリマーが挙げられる。他の好適な汚れ放出ポリマーは、Ｍａｒｌｏｑｕｅｓｔポリマー（例えば、Ｓａｓｏｌにより供給されているＭａｒｌｏｑｕｅｓｔ  ＳＬなど）である。
【０１２５】
セルロース系ポリマー
好適なセルロース系ポリマーとしては、アルキルセルロース、アルキルアルコキシアルキルセルロース、カルボキシアルキルセルロース、アルキルカルボキシアルキルセルロースから選択されるものが挙げられる。セルロース系ポリマーは、カルボキシメチルセルロース、メチルセルロース、メチルヒドロキシエチルセルロース、メチルカルボキシメチルセルロース、及びこれらの混合物からなる群から選択され得る。一態様では、カルボキシメチルセルロースは、０．５〜０．９のカルボキシメチル置換度及び１００，０００Ｄａ〜３００，０００Ｄａの分子量を有する。
【０１２６】
アミン
アミンの非限定的な例としては、ポリエーテルアミン、ポリアミン、オリゴアミン、トリアミン、ジアミン、ペンタミン、テトラアミン、又はこれらの組み合わせを挙げることができるが、これらに限定されない。好適な追加のアミンの具体的な例としては、テトラエチレンペンタミン、トリエチレンテトラアミン、ジエチレントリアミン、又はこれらの混合物が挙げられる。
【０１２７】
漂白剤
漂白触媒以外の好適な漂白剤は、光触媒、漂白活性化剤、過酸化水素、過酸化水素源、予形成過酸、及びこれらの混合物を含む。一般に、漂白剤を用いる場合、本発明の洗剤組成物は、洗剤組成物の約０．１重量％〜約５０重量％又は更には約０．１重量％〜約２５重量％の漂白剤を含み得る。
【０１２８】
漂白触媒
好適な漂白触媒としては、イミニウムカチオン及びポリイオン；イミニウム双性イオン；修飾アミン；修飾アミンオキシド；Ｎ−スルホニルイミン；Ｎ−ホスホニルイミン；Ｎ−アシルイミン；チアジアゾールジオキシド；ペルフルオロイミン；環状糖ケトン、及びこれらの混合物を含むが、これらに限定されない。
【０１２９】
増白剤
本開示に好適な市販の蛍光増白剤は、スチルベン、ピラゾリン、クマリン、ベンゾキサゾール、カルボン酸、メチンシアニン、ジベンゾチオフェン−５，５−ジオキシド、アゾール、５及び６員環の複素環、並びに他の様々な物質の誘導体を含むがこれらに限定されない、サブグループに分類することができる。
【０１３０】
蛍光増白剤は、４，４’−ビス｛［４−アニリノ−６−モルホリノ−ｓ−トリアジン−２−イル］−アミノ｝−２，２’−スチルベンジスルホン酸二ナトリウム（増白剤１５、ＢＡＳＦによって商標名Ｔｉｎｏｐａｌ  ＡＭＳ−ＧＸとして市販されている）、４，４’−ビス｛［４−アニリノ−６−（Ｎ−２−ビス−ヒドロキシエチル）−ｓ−トリアジン−２−イル］−アミノ｝−２，２’−スチルベンジスルホン酸二ナトリウム（ＢＡＳＦによって商標名Ｔｉｎｏｐａｌ  ＵＮＰＡ−ＧＸとして市販されている）、４，４’−ビス｛［４−アニリノ−６−（Ｎ−２−ヒドロキシエチル−Ｎ−メチルアミノ）−ｓ−トリアジン−２−イル］−アミノ｝−２，２’−スチルベンジスルホン酸二ナトリウム（ＢＡＳＦによって商標名Ｔｉｎｏｐａｌ  ５ＢＭ−ＧＸとして市販されている）からなる群から選択され得る。蛍光増白剤は、４，４’−ビス｛［４−アニリノ−６−モルホリノ−ｓ−トリアジン−２−イル］−アミノ｝−２，２’−スチルベンジスルホン酸二ナトリウムであってよい。
【０１３１】
増白剤は、粒子の形で、又は好適な溶媒、例えば非イオン性界面活性剤、プロパンジオールとのプレミックスとして添加されてもよい。
【０１３２】
布地色相剤
布地色相剤（時に補色剤、青味剤、又はホワイトニング剤とも称される）は、典型的には、青色又は紫色の色調を布地に与える。色相剤は、単独又は組み合わせのいずれかで使用して、特定の色相の色合いを作り出し、かつ／又は異なる種類の布地に色合いをつけることができる。これは、例えば赤と緑−青の染料とを混合して青又は紫の色合いを生じさせることにより提供され得る。色相剤は、任意の既知の化学的部類の染料から選択されてよく、これには、アクリジン、アントラキノン（多環式キノンを含む）、アジン、予め金属化されたアゾを含むアゾ（例えば、モノアゾ、ジスアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物が挙げられるが、これらに限定されない。
【０１３３】
好適な布地色相剤は、染料、染料−粘土共役体、並びに有機及び無機顔料を含む。好適な染料には、低分子染料及びポリマー染料も含まれる。好適な小分子染料は、例えば、ブルー、バイオレット、レッド、グリーン、又はブラックに分類され、単独で又は組み合わせのいずれかで所望の色合いをもたらす、直接染料、塩基性染料、反応染料若しくは加水分解した反応性染料、溶媒染料、又は分散染料の色指数（Ｃ．Ｉ．）分類に分類される染料からなる群から選択される小分子染料を含む。好適なポリマー染料には、共有結合している（共役していると称されることもある）色原体（色素ポリマー共役体）を含有するポリマー、例えば、ポリマーの骨格鎖に共重合した色原体を有するポリマー及びこれらの混合物からなる群から選択されるポリマー染料が挙げられる。好適なポリマー染料は、Ｌｉｑｕｉｔｉｎｔ（登録商標）（Ｍｉｌｌｉｋｅｎ、Ｓｐａｒｔａｎｂｕｒｇ，Ｓｏｕｔｈ  Ｃａｒｏｌｉｎａ，ＵＳＡ）の名称で販売されている布地直接着色剤、少なくとも１つの反応染料と、ヒドロキシル部分、第一級アミン部分、第二級アミン部分、チオール部分、及びこれらの混合物からなる群から選択される部分を含むポリマーからなる群から選択されるポリマーと、から形成される染料−ポリマー共役体からなる群から選択されるポリマー染料も含む。好適なポリマー染料は、Ｌｉｑｕｉｔｉｎｔ（登録商標）バイオレットＣＴ、Ｍｅｇａｚｙｍｅ（Ｗｉｃｋｌｏｗ，Ｉｒｅｌａｎｄ）から商標名ＡＺＯ−ＣＭ−ＣＥＬＬＵＬＯＳＥ、商品コードＳ−ＡＣＭＣとして販売されているＣ．Ｉ．リアクティブブルー１９と共役しているＣＭＣなどのリアクティブブルー、リアクティブバイオレット又はリアクティブレッドの染料に共有結合しているカルボキシメチルセルロース（ＣＭＣ）、アルコキシル化トリフェニール−メタンポリマー着色剤、アルコキシル化チオフェンポリマー着色剤、及びこれらの混合物からなる群から選択されるポリマー染料も含む。
【０１３４】
前述の布地色相剤は、組み合わせて用いることができる（布地色相剤のいずれの混合物も用いることができる）。
【０１３５】
封入体
封入体は、コアと、内面及び外面を有するシェルとを含んでいてよく、当該シェルが当該コアを封入する。コアは、あらゆる洗濯ケア助剤を含むことができるが、典型的には、コアは、香料；増白剤；色調染料；防虫剤；シリコーン；ワックス；着香剤；ビタミン；布地柔軟化剤；スキンケア剤、一態様では、パラフィン；酵素；抗菌剤；漂白剤；感覚剤；及びこれらの混合物からなる群から選択される材料を含んでもよく、当該シェルは、ポリエチレン；ポリアミド、任意に他のコ−モノマーを含有するポリビニルアルコール；ポリスチレン；ポリイソプレン；ポリカーボネート；ポリエステル；ポリアクリレート；アミノプラスト（一態様では、当該アミノプラストは、ポリ尿素、ポリウレタン、及び／又はポリ尿素ウレタンを含んでもよく、一態様では、当該ポリ尿素は、ポリオキシメチレン尿素及び／又はメラミンホルムアルデヒドを含んでもよい）；ポリオレフィン；多糖類、（一態様では、当該多糖類は、アルギン酸塩及び／又はキトサンを含んでもよい）；ゼラチン；セラック；エポキシ樹脂；ビニルポリマー；非水溶性無機材料；シリコーン；及びこれらの混合物からなる群から選択される材料を含んでもよい。
【０１３６】
好ましい封入剤は、香料を含む。好ましい封入剤は、メラミンホルムアルデヒド及び／又は架橋メラミンホルムアルデヒドを含んでいてもよいシェルを含む。他の好ましいカプセルは、ポリアクリレート系シェルを含む。好ましい封入剤は、コア材とシェルとを含み、当該シェルは、当該コア材を少なくとも部分的に取り囲むことが開示されている。当該封入剤の少なくとも７５％、８５％、又は更には９０％は、０．２ＭＰａ〜１０ＭＰａの破壊強度、及び封入された有益剤の初期総量に対して０％〜２０％、又は更には１０％若しくは５％未満の有益剤漏出率を有し得る。当該封入体の少なくとも７５％、８５％、若しくは更には９０％が、（ｉ）１マイクロメートル〜８０マイクロメートル、５マイクロメートル〜６０マイクロメートル、１０マイクロメートル〜５０マイクロメートル、若しくは更には１５マイクロメートル〜４０マイクロメートルの粒径を有し得、及び／又は（ｉｉ）当該封入体の少なくとも７５％、８５％、若しくは更には９０％が、３０ｎｍ〜２５０ｎｍ、８０ｎｍ〜１８０ｎｍ、又は更には１００ｎｍ〜１６０ｎｍの粒子壁厚を有し得るものが好ましい。ホルムアルデヒドスカベンジャーは、封入剤と共に、例えばカプセルスラリー中で用いてもよく、及び／又は封入剤を組成物に添加する前、添加している間、若しくは添加した後に組成物に添加してもよい。
【０１３７】
好適なカプセルは、既知のプロセスを使用して作製することができる。あるいは、好適なカプセルは、Ｅｎｃａｐｓｙｓ  ＬＬＣ（Ａｐｐｌｅｔｏｎ，Ｗｉｓｃｏｎｓｉｎ  ＵＳＡ）から購入することができる。組成物は、例えば、封入体に加えて、付着助剤を含んでいてもよい。好ましい付着助剤は、カチオン性及び非イオン性ポリマーからなる群から選択される。好適なポリマーとしては、カチオンデンプン、カチオン性ヒドロキシエチルセルロース、ポリビニルホルムアルデヒド、ローカストビーンガム、マンナン、キシログルカン、タマリンドガム、ポリエチレンテレフタレート、並びに任意にアクリル酸及びアクリルアミドを含む群から選択される１つ以上のモノマーと共にジメチルアミノエチルメタクリレートを含有するポリマーが挙げられる。
【０１３８】
香料
香料及び香料成分の非限定的な例としては、アルデヒド、ケトン、エステルなどが挙げられるが、これらに限定されない。他の例としては、様々な天然抽出物及び天然エキスが挙げられ、これらは、オレンジ油、レモン油、バラ抽出物、ラベンダー、ムスク、パチョリ、バルサムエキス、ビャクダン油、パイン油、シーダーなどの成分の複雑な混合物を含むことができる。最終香料は、そのような成分の非常に複雑な混合物を含むことができる。完成した香料は、洗剤組成物の約０．０１重量％〜約２重量％の範囲の濃度で含まれ得る。
【０１３９】
移染防止剤
移染防止剤は、洗浄プロセス中のある布地から別の布地への染料の移動を阻害するのに有効である。一般に、このような移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物が挙げられ得る。使用する場合、これら剤は、組成物の約０．０００１重量％〜約１０重量％、いくつかの例では、組成物の約０．０１重量％〜約５重量％、他の例では、組成物の約０．０５重量％〜約２重量％の濃度で使用され得る。
【０１４０】
キレート剤
好適なキレート剤としては、銅、鉄、及び／又はマンガンキレート剤、並びにこれらの混合物が挙げられる。このようなキレート剤は、ホスホネート、アミノカルボキシレート、アミノホスホネート、スクシネート、多官能的に置換された芳香族キレート剤、２−ピリジノール−Ｎーオキシド化合物、ヒドロキサム酸、カルボキシメチルイヌリン、及びこれらの混合物からなる群から選択することができる。キレート剤は、アルカリ金属、アンモニウム、及びその置換アンモニウム塩、並びにこれらの混合物を含む、酸又は塩の形で存在することができる。本明細書での使用に好適な他のキレート剤は、市販のＤＥＱＵＥＳＴシリーズ、並びにＭｏｎｓａｎｔｏ，Ａｋｚｏ−Ｎｏｂｅｌ，ＤｕＰｏｎｔ，Ｄｏｗのキレート剤、ＢＡＳＦ及びＮａｌｃｏのＴｒｉｌｏｎ（登録商標）シリーズである。
【０１４１】
抑泡剤
泡の形成を低減又は抑制するための化合物を、水溶性単位用量物品に組み込んでもよい。抑泡性は、いわゆる「高濃度洗浄プロセス」において、また前側投入方式の洗濯機において、特に重要である可能性がある。抑泡剤の例としては、モノカルボン脂肪酸及びその中の可溶性塩、パラフィンなどの高分子量炭化水素、脂肪酸エステル（例えば、脂肪酸トリグリセリド）、一価アルコールの脂肪酸エステル、脂肪族Ｃ１８〜Ｃ４０ケトン（例えば、ステアロン）、Ｎ−アルキル化アミノトリアジン、約１００℃未満の融点を有するワックス状炭化水素、シリコーン抑泡剤、並びに二級アルコールが挙げられる。
【０１４２】
更なる好適な消泡剤は、フェニルプロピルメチル置換ポリシロキサンに由来するものである。
【０１４３】
洗剤組成物は、シリコーン樹脂及び修飾シリカである一次充填剤と組み合わせたアリール又はアルキルアリール置換基を伴う有機修飾シリコーンポリマーから選択される抑泡剤を含んでもよい。洗剤組成物は、組成物の約０．００１重量％〜約４．０重量％のこのような抑泡剤を含んでいてよい。
【０１４４】
洗剤組成物は、ａ）約８０〜約９２％のエチルメチル、メチル（２−フェニルプロピル）シロキサン、ステアリン酸オクチル中約５〜約１４％のＭＱ樹脂、及び約３〜約７％の変性シリカの混合物；ｂ）約７８〜約９２％のエチルメチル、メチル（２−フェニルプロピル）シロキサン、ステアリン酸オクチル中約３〜約１０％のＭＱ樹脂、約４〜約１２％の変性シリカの混合物；又はｃ）これらの混合物、から選択される抑泡剤を含み、百分率は、消泡剤の重量に対するものである。
【０１４５】
増泡剤
高起泡性が望ましい場合、Ｃ１０〜Ｃ１６アルカノールアミドなどの起泡促進剤を使用してよい。いくつかの例としては、Ｃ１０〜Ｃ１４モノエタノール及びジエタノールアミドが挙げられる。必要に応じて、ＭｇＣｌ２、ＭｇＳＯ４、ＣａＣｌ２、ＣａＳＯ４などの水溶性マグネシウム及び／又はカルシウム塩を、洗剤組成物の約０．１重量％〜約２重量％の濃度で添加して、追加の泡をもたらし、グリース除去性能を増強することもできる。
【０１４６】
コンディショニング剤
好適なコンディショニング剤としては、高融点脂肪族化合物が挙げられる。本明細書において有用な高融点脂肪族化合物は、２５℃以上の融点を有し、脂肪族アルコール、脂肪酸、脂肪族アルコール誘導体、脂肪酸誘導体、及びこれらの混合物からなる群から選択される。好適なコンディショニング剤としては、非イオン性ポリマー及びコンディショニングオイル、例えば、炭化水素油、ポリオレフィン、及び脂肪酸エステルも挙げられる。
【０１４７】
好適なコンディショニング剤としては、一般にシリコーン（例えば、シリコーンオイル、ポリオイル、カチオン性シリコーン、シリコーンガム、高屈折率のシリコーン、及びシリコーン樹脂）、有機コンディショニングオイル（例えば、炭化水素油、ポリオレフィン、及び脂肪酸エステル）、若しくはこれらの組み合わせを特徴とするコンディショニング剤、又は他の方法で本明細書の水性界面活性剤マトリックス中に液体の分散粒子を形成するコンディショニング剤が挙げられる。
【０１４８】
布地改良ポリマー
好適な布地改良ポリマーは、典型的には、カチオン性に帯電され、かつ／又は高分子量を有する。布地改良ポリマーは、ホモポリマーであってもよく、又は２つ以上のタイプのモノマーから形成されてもよい。ポリマーのモノマー重量は、一般に、５，０００〜１０，０００，０００、典型的には少なくとも１０，０００、好ましくは１００，０００〜２，０００，０００の範囲である。好ましい布地改良ポリマーは、組成物の意図される用途のｐＨ（このｐＨは、一般に、ｐＨ３〜ｐＨ９、好ましくはｐＨ４〜ｐＨ８の範囲）において、少なくとも約０．２ｍｅｑ／ｇｍ、好ましくは少なくとも０．２５ｍｅｑ／ｇｍ、より好ましくは少なくとも０．３ｍｅｑ／ｇｍであるが、好ましくは５ｍｅｑ／ｇｍ未満、より好ましくは３ｍｅｑ／ｇｍ未満、最も好ましくは２ｍｅｑ／ｇｍ未満でもあるカチオン電荷密度を有する。布地改良ポリマーは、天然起源のもであっても又は合成起源のものであってもよい。
【０１４９】
真珠光沢剤
真珠光沢剤の非限定的な例としては以下が挙げられる：雲母；二酸化チタンコーティングした雲母、ビスマスオキシクロリド、魚のうろこ、アルキレングリコールのモノエステル及びジエステル。真珠光沢剤は、エチレングリコールジステアレート（ＥＧＤＳ）であってもよい。
【０１５０】
衛生及び悪臭
好適な衛生及び悪臭活性剤としては、リシノール酸亜鉛、チモール、Ｂａｒｄａｃ（登録商標）などの四級アンモニウム塩、ポリエチレンイミン（ＢＡＳＦ製のＬｕｐａｓｏｌ（登録商標）など）及びその亜鉛錯体、銀及び銀化合物、特に、Ａｇ＋又はナノ銀分散体をゆっくり放出するように設計されたものが挙げられる。
【０１５１】
緩衝系
本明細書に記載の水溶性単位用量物品は、水性クリーニング操作において使用している間、洗浄水が約７．０〜約１２、いくつかの例では約７．０〜約１１のｐＨを有するように配合され得る。推奨される使用レベルでｐＨを制御する技法としては、緩衝剤、アルカリ、又は酸の使用が挙げられ、これらは当業者には周知である。これらの技術としては、炭酸ナトリウム、クエン酸若しくはクエン酸ナトリウム、乳酸若しくは乳酸塩、モノエタノールアミン若しくは他のアミン、ホウ酸若しくはホウ酸塩、及び当該技術分野において既知の他のｐＨ調整化合物の使用が挙げられるが、これらに限定されない。
【０１５２】
本明細書の洗剤組成物は、動的な洗浄中ｐＨプロファイルを含んでもよい。このような洗剤組成物は、（ｉ）水と接触した約３分後に洗浄液のｐＨが１０を超え、（ｉｉ）水と接触した約１０分後に洗浄液のｐＨが９．５未満になり、（ｉｉｉ）水と接触した約２０分後に洗浄液のｐＨが９．０未満になり、そして（ｉｖ）所望により、洗浄液の平衡ｐＨが約７．０〜約８．５の範囲になるように、ワックスで覆われたクエン酸粒子を他のｐＨ制御剤と共に使用してもよい。
【０１５３】
作製方法
図３に例示するように、フィラメント形成組成物３５の溶液が提供される。フィラメント形成組成物は、１つ以上のフィラメント形成材料と、所望により１つ以上の活性剤とを含んでいてよい。フィラメント形成組成物３５は、複数の紡糸口金４５を含む１つ以上のダイブロックアセンブリ４０を通過して、１つ以上のフィラメント形成材料と所望により１つ以上の活性剤とを含む複数の繊維要素３０を形成する。複数のダイブロック組立体４０を用いて、繊維要素３０の異なる層を紡糸することができ、異なる層の繊維要素３０は互いに異なる組成を有するか、又は互いに同じである。所与のプライにおいて３つ、４つ、又は任意の他の整数の層を形成するために、直列接続された２つを超えるダイブロックアセンブリを提供することができる。機械方向ＭＤに移動しているベルト５０上に繊維要素３０を堆積させて、第１のプライ１０を形成することができる。
【０１５４】
ダイブロックアセンブリ４０とベルト５０との間の繊維要素３０の流れに粒子を導入することができる。粒子受け部からベルトフィーダー４１又は所望によりスクリューフィーダーに、粒子を供給することができる。所望の粒子塊をプロセスに送達するように、ベルトフィーダー４１を設定及び制御することができる。ベルトフィーダーは、空気流中の粒子を繊維要素３０内に懸濁させ、方向付けるエアナイフ４２を供給して、その後ベルト５０上に堆積する繊維要素３０及び粒子が混合された粒子−繊維層を形成することができる。
【０１５５】
水溶性製品を形成するために、第１のプライ１０を提供することができる。第２のプライ１５は、第１のプライ１０とは別個に提供され得る。第１のプライ１０及び第２のプライ１５は、互いに重ねられる。重ねられるとは、重ねられたプライの間に追加のプライ又は他の材料、例えば活性剤が配置されていてもよいという条件で、一方が他方の上又は下に配置されることを意味する。第１プライ１０の一部を第２のプライ１５の一部に接合させて、水溶性製品５を形成することができる。各プライは１つ以上の層を含んでいてよい。
【０１５６】
粒子−繊維層
粒子−繊維層は、いくつかの方法で配置され得る。粒子のクラスタは、層内に分布したポケット内に分布し得、このようなポケットは、繊維要素の層の間に形成され得、粒子の各クラスタ内の接触ネットワーク及び多孔性は、従来の粒子パッキングの物理学によって支配されるが、クラスタは層内で実質的に拡張される。粒子は、繊維構造体全体にわたって比較的均質に分布してよく、局所的な粒子クラスタを実質的に含まず、パッキングは、個々の粒子のスケールで実質的に拡張され、粒子間接触がより少なく、粒子間孔が大きくなる。理論に束縛されるものではないが、繊維要素及び粒子を含む層を含む水溶性単位用量物品は、ＡＥＳなどの粘着性界面活性剤が、拡張構造を有する粒子に隔離された場合、水の拡張構造への迅速な吸水及び粘着性界面活性剤を有する粒子間の接触の減少の両方によって単位用量物品の分散及び溶解を改善すると考えられる。
【０１５７】
洗濯方法
本発明はまた、本発明に係る物品を使用する洗濯方法であって、本発明に係る少なくとも１つの物品を、洗浄される洗濯物と一緒に洗濯機に入れる工程と、洗浄又はクリーニング操作を行う工程とを含む、洗濯方法を包含する。
【０１５８】
任意の好適な洗濯機が使用され得る。当業者は、関連の洗浄作業に好適な洗濯機を認識するであろう。本発明の物品は、布地添加剤、布地柔軟剤、すすぎ助剤などの他の組成物と共に使用され得る。
【０１５９】
洗浄温度は、３０℃以下であってよい。洗浄プロセスは、５〜２０分の持続時間を有する少なくとも１回の洗浄サイクルを含み得る。自動洗濯機は回転ドラムを含んでいてよく、少なくとも１回の洗浄サイクル中、ドラムは、１５〜４０ｒｐｍ、好ましくは２０〜３５ｒｐｍの回転速度を有する。
【０１６０】
本開示の具体的に想到される態様は、下記の番号付き段落に記述される。
１．水溶性繊維構造体と、構造体全体にわたって分布する複数の粒子とを含む水溶性単位用量物品であって、水溶性繊維構造体が複数の繊維要素を含み、各繊維要素が、少なくとも１つのフィラメント形成材料及び第１の界面活性剤を含み、当該第１の界面活性剤が、約７．５以下の親水性指数（ＨＩ）を特徴とし、当該粒子のそれぞれが第２の界面活性剤を含み、当該第２の界面活性剤が、７．５を超えるＨＩを特徴とする、水溶性単位用量物品。
２．第１の界面活性剤が、非アルコキシル化Ｃ６〜Ｃ２０直鎖状又は分枝鎖状アルキルサルフェート（ＡＳ）、Ｃ６〜Ｃ２０直鎖状アルキルベンゼンスルホネート（ＬＡＳ）、及びこれらの組み合わせからなる群から選択され、好ましくはＣ６〜Ｃ２０直鎖状アルキルベンゼンスルホネート（ＬＡＳ）である、段落１に記載の水溶性単位用量物品。
３．第２の界面活性剤が、０．１〜１０の範囲の重量平均アルコキシル化度を有するＣ６〜Ｃ２０直鎖状又は分枝鎖状アルキルアルコキシル化サルフェート（ＡＡＳ）、５〜１５の範囲の重量平均アルコキシル化度を有するＣ６〜Ｃ２０アルキルアルコキシル化アルコール（ＡＡ）、及びこれらの組み合わせからなる群から選択される、段落１又は２に記載の水溶性単位用量物品。
４．第１の界面活性剤が、繊維要素のそれぞれにおいて主界面活性剤として存在し、好ましくは、第２の界面活性剤が、粒子のそれぞれにおいて主界面活性剤として存在する、段落１〜３のいずれか１つに記載の水溶性単位用量物品。
５．粒子のそれぞれが、粒子の約５重量％〜約６０重量％の第２の界面活性剤を含む、段落１〜４のいずれか１つに記載の水溶性単位用量物品。
６．各繊維要素が、乾燥繊維要素基準で約１０重量％〜約９０重量％、好ましくは約２０重量％〜約８０重量％、より好ましくは約３０重量％〜約７０重量％の第１の界面活性剤を含む、段落１〜５のいずれか１つに記載の水溶性単位用量物品。
７．当該水溶性単位用量物品が、構造化剤、ビルダー、ポリマー分散剤、酵素、酵素安定剤、漂白系、増白剤、色相剤、キレート剤、抑泡剤、コンディショニング剤、保湿剤、香料、香料マイクロカプセル、充填剤又はキャリア、アルカリ性系、ｐＨ制御系、緩衝剤、アルカノールアミン、蚊忌避剤、及びこれらの混合物からなる群から選択される活性剤を含む少なくとも１つの粒子を更に含む、段落１〜６のいずれか１つに記載の水溶性単位用量物品。
８．当該水溶性単位用量物品が、１つ以上の水不溶性材料を含む少なくとも１つの粒子を更に含む、段落１〜７のいずれか１つに記載の水溶性単位用量物品。
９．当該不溶性材料が、約２０マイクロメートル未満又は約５０マイクロメートル未満の懸濁平均粒径で分散可能である、段落１〜８のいずれか１つに記載の水溶性単位用量物品。
１０．当該粒子が、粒度分布試験法に従って測定したとき、約１５０μｍ〜約１６００μｍのＤ５０粒径を有する、段落１〜９のいずれか１つに記載の水溶性単位用量物品。
１１．当該繊維要素が、フィラメント、繊維、又はこれらの混合物であり、好ましくは、当該繊維要素がフィラメントである、段落１〜１０のいずれか１つに記載の水溶性単位用量物品。
１２．当該フィラメント形成材料がポリマーを含み、好ましくは、当該ポリマーが、ポリビニルアルコール、ポリアルキレングリコール、デンプン又は変性デンプン、セルロース又は変性セルロース、ポリアクリレート、ポリメタクリレート、ポリアクリルアミド、ポリビニルピロリドン、及びこれらの組み合わせからなる群から選択され、より好ましくは、当該水溶性ポリマーが、ポリビニルアルコール、ポリアルキレングリコール、及びこれらの組み合わせからなる群から選択される、段落１〜１１のいずれか１つに記載の水溶性単位用量物品。
１３．当該繊維要素のそれぞれが、乾燥繊維要素基準で約０重量％〜約１５重量％、好ましくは約０重量％〜約１０重量％、より好ましくは約０重量％〜約５重量％、最も好ましくは約０重量％〜約１重量％の第２の界面活性剤を含む、段落１〜１２のいずれか１つに記載の水溶性単位用量物品。
１４．第２の界面活性剤が、０．１〜１０の範囲の重量平均アルコキシル化度を有するＣ６〜Ｃ２０直鎖状又は分枝鎖状ＡＡＳ界面活性剤であり、好ましくは、１〜５の範囲の重量平均アルコキシル化度を有するＣ１０〜Ｃ１６直鎖状又は分枝鎖状アルキルエトキシル化サルフェート（ＡＥＳ）である、段落１〜１３のいずれか１つに記載の水溶性単位用量物品。
１５．当該粒子のそれぞれが、各離散粒子の総重量に対して０．５％〜２０％、好ましくは１％〜１５％、より好ましくは２％〜１０％の、アルコキシル化ポリアルキレンイミン、エチレンオキシド−プロピレンオキシド−エチレンオキシド（ＥＯｘ１ＰＯｙＥＯｘ２）トリブロックコポリマーであって、ｘ１及びｘ２のそれぞれは、約２〜約１４０、好ましくは約２〜約１００、より好ましくは約２〜約８０の範囲であり、ｙは、約１５〜約７０の範囲であるトリブロックコポリマー、Ｎ，Ｎ，Ｎ’，Ｎ’−テトラ（２−ヒドロキシエチル）エチレンジアミン、及びこれらの混合物からなる群から選択されるレオロジー変性剤を更に含み、好ましくは、当該アルコキシル化ポリアルキレンイミンが、実験式（ＰＥＩ）ａ（ＣＨ２ＣＨ２Ｏ）ｂ（ＣＨ２ＣＨ２ＣＨ２Ｏ）ｃを有し、ＰＥＩは、ポリエチレンイミンコアであり、ａは、変性前のＰＥＩコアの数平均分子量（ＭＷｎ）であって、１００〜１００，０００ダルトン、好ましくは２００〜５０００ダルトン、より好ましくは５００〜１０００ダルトンの範囲であり、ｂは、ＰＥＩコア中の窒素原子当たりのエチレンオキシド（ＣＨ２ＣＨ２Ｏ）単位の重量平均数であって、０〜６０、好ましくは１〜５０、より好ましくは５〜４０、又は約１０〜３０の範囲であり、ｃは、ＰＥＩコア中の窒素原子当たりのプロピレンオキシド（ＣＨ２ＣＨ２ＣＨ２Ｏ）単位の重量平均数であって、０〜６０、好ましくは０〜４０、より好ましくは０〜３０、最も好ましくは０〜２０の範囲である、段落１〜１４のいずれか１つに記載の水溶性単位用量物品。
１６．当該粒子のそれぞれが、当該各離散粒子の総重量に対して、０．５％〜２０％、好ましくは１％〜１５％、より好ましくは２％〜１０％のポリアルキレングリコールを更に含み、当該ポリアルキレングリコールが、好ましくは、５００〜２０，０００ダルトン、好ましくは約１０００〜１５，０００ダルトン、より好ましくは２０００〜８０００ダルトンの範囲の重量平均分子量を有するポリエチレングリコールである、段落１〜１５のいずれか１つに記載の水溶性単位用量物品。
１７．当該水溶性単位用量物品が、洗浄残渣試験法に従って測定したとき、約１．０以下の洗浄残渣試験グレードを呈する、段落１〜１６のいずれか１つに記載の水溶性単位用量物品。
１８．当該水溶性単位用量物品が、本明細書に記載の坪量試験法に従って測定したとき、約５００グラム／ｍ２〜約５，０００グラム／ｍ２、好ましくは約１，０００グラム／ｍ２〜約４，０００グラム／ｍ２、より好ましくは、約１，５００グラム／ｍ２〜約３，５００グラム／ｍ２、更により好ましくは約２，０００グラム／ｍ２〜約３，０００グラム／ｍ２の坪量を有する、段落１〜１７のいずれか１つに記載の水溶性単位用量物品。
１９．当該粒子のそれぞれが、２０〜７０、好ましくは３０〜６０、より好ましくは４５〜５５のプロピレンオキシド単位の平均プロピレンオキシド鎖長を有するエチレンオキシド−プロピレンオキシド−エチレンオキシド（ＥＯｘ１ＰＯｙＥＯｘ２）トリブロックコポリマーを更に含む、段落１〜１８のいずれか１つに記載の水溶性単位用量物品。
２０．当該粒子のそれぞれが、１０００〜１５，０００ダルトン、好ましくは１５００〜５０００ダルトン、より好ましくは２０００〜４５００ダルトン、更により好ましくは２５００〜４０００ダルトン、最も好ましくは３５００〜３８００ダルトンの分子量を有するエチレンオキシド−プロピレンオキシド−エチレンオキシド（ＥＯｘ１ＰＯｙＥＯｘ２）トリブロックコポリマーを更に含み、好ましくは、エチレンオキシド−プロピレンオキシド−エチレンオキシド（ＥＯｘ１ＰＯｙＥＯｘ２）トリブロックコポリマーの各エチレンオキシドブロック又は鎖が、独立して、２〜９０、好ましくは３〜５０、より好ましくは４〜２０のエチレンオキシド単位の平均鎖長を有し、好ましくは、エチレンオキシド−プロピレンオキシド−エチレンオキシド（ＥＯｘ１ＰＯｙＥＯｘ２）トリブロックコポリマーが、コポリマーの１０重量％〜９０重量％、好ましくは１５重量％〜５０重量％、最も好ましくは１５重量％〜２５重量％の組み合わせられたエチレン−オキシドブロックを含む、段落１〜１９のいずれか１つに記載の水溶性単位用量物品。
２１．当該粒子のそれぞれが、エチレンオキシド−プロピレンオキシド−エチレンオキシド（ＥＯｘ１ＰＯｙＥＯｘ２）トリブロックコポリマーを更に含み、エチレンオキシド−プロピレンオキシド−エチレンオキシド（ＥＯｘ１ＰＯｙＥＯｘ２）トリブロックコポリマーの総エチレンオキシド含量が、２つのエチレンオキシドブロックに等しく分けられ、好ましくは、各エチレンオキシドブロックが、平均でエチレンオキシド単位の総数の４０％〜６０％、より好ましくは４５％〜５５％、更により好ましくは４８％〜５２％、最も好ましくは５０％を含み、両エチレンオキシドブロックの％が合計１００％になる、段落１〜２０のいずれか１つに記載の水溶性単位用量物品。
２２．当該粒子のそれぞれが、エチレンオキシド−プロピレンオキシド−エチレンオキシド（ＥＯｘ１ＰＯｙＥＯｘ２）トリブロックコポリマーを更に含み、エチレンオキシド−プロピレンオキシド−エチレンオキシド（ＥＯｘ１ＰＯｙＥＯｘ２）トリブロックコポリマーが、３５００〜３８００ダルトンの分子量、４５〜５５のプロピレンオキシド単位のプロピレンオキシド含量、並びにエチレンオキシドブロック当たり４〜２０のエチレンオキシド単位のエチレンオキシド含量を有する、段落１〜２１のいずれか１つに記載の水溶性単位用量物品。
【０１６１】
試験法
含水率試験法
粒子及び／又は基材構造体中に存在する水（水分）含有量を、以下の含水量試験法を使用して測定する。事前に切断しておいたシートの形態である粒子又はその一部（「試料」）を、約２３℃±１．０℃の温度及び５０％±２％の相対湿度に調整された室内に、試験前少なくとも２４時間置いておく。各構造体試料は、少なくとも４平方インチの面積を有するが、天秤の計量皿上に適切にフィットするのに十分小さいサイズである。上述の温度及び湿度の条件下で、少なくとも小数第４位まで測定できる天秤を用いて、１０分間の間に前回の重量の０．５％未満の変化が検出されるまで、試料の重量を５分ごとに記録する。最終重量を、「平衡重量」として記録する。１０分以内に、試料を、乾燥させるために、７０℃±２℃、相対湿度４％±２％で２４時間、強制空気オーブン中のホイル上に載置する。２４時間乾燥させた後、試料を取り出して、１５秒以内に重量を測定する。この重量は、試料の「乾燥重量」と呼ばれる。
【０１６２】
試料の含水（水分）率を以下のとおり計算する：
【０１６３】
【数２】
0006884878.tif 000003
３つの複製物についての試料中の水（水分）％を平均して、試料中の水（水分）％として報告する。結果を０．１％単位で報告する。
【０１６４】
坪量試験法
±０．００１ｇの感度限界の上皿化学天秤を使用して、１２個の使用可能なユニットを積み重ねて繊維構造体の坪量を測定する。風防を使用して、天秤を気流及び他の外乱から保護する。３．５００インチ±０．００３５インチ×３．５００インチ±０．００３５インチと測定された精密切断ダイを使用して、全ての試料を調製する。
【０１６５】
精密切断用金型を用いて、試料を正方形に切断する。切断した正方形をまとめて、試料１２個の厚さに積み重ねる。積み重ねた試料の質量を測定し、結果を０．００１ｇ単位で記録する。
【０１６６】
以下のように、ｌｂｓ／３０００ｆｔ２又はｇ／ｍ２で坪量を計算する。
坪量＝（積み重ねた試料の質量）／［（積み重ねた試料内の正方形１個の面積）×（積み重ねた試料内の正方形の数）］
例えば、
坪量（ｌｂｓ／３０００ｆｔ２）＝［［積み重ねた試料の質量（ｇ）／４５３．６（ｇ／ｌｂｓ）］／［１２．２５（ｉｎ２）／１４４（ｉｎ２／ｆｔ２）×１２］］×３０００
又は、
坪量（ｇ／ｍ２）＝積み重ねた試料の質量（ｇ）／［７９．０３２（ｃｍ２）／１０，０００（ｃｍ２／ｍ２）×１２］
結果を０．１ｌｂｓ／３０００ｆｔ２又は０．１ｇ／ｍ２単位で報告する。積み重ねた試料の面積の少なくとも１００平方インチになるように、上述のものと同様の精密カッターを使用して試料寸法を変更又は変動させてもよい。
【０１６７】
厚さ試験法
各切断された試料がＶＩＲ  Ｅｌｅｃｔｒｏｎｉｃ  Ｔｈｉｃｋｎｅｓｓ  Ｔｅｓｔｅｒ  Ｍｏｄｅｌ  ＩＩ（Ｔｈｗｉｎｇ−Ａｌｂｅｒｔ  Ｉｎｓｔｒｕｍｅｎｔ  Ｃｏｍｐａｎｙ（Ｐｈｉｌａｄｅｌｐｈｉａ，ＰＡ）から入手可能）のロードフット搭載面よりも大きなサイズになるように、繊維構造体試料から５つの試料を切り取ることによって、繊維構造体の厚さを測定する。典型的に、ロードフット搭載面は、約３．１４ｉｎ２の円形表面積を有する。試料を水平な平面とロードフット搭載面との間に固定する。ロードフット搭載面は、１５．５ｇ／ｃｍ２の拘束圧を試料に印加する。各試料の厚さとは、平面とロードフット搭載面との間に結果として生じる隔たりである。厚さは５つの試料の平均の厚さとして算出される。結果をミリメートル（ｍｍ）で報告する。
【０１６８】
粒度分布試験法
粒度分布試験を実施して、粒子の特徴的なサイズを求める。これは、分析に使用される篩サイズ及び篩時間のための更なる規格と共に、１９８９年５月２６日に承認されたＡＳＴＭ  Ｄ  ５０２−８９「Ｓｔａｎｄａｒｄ  Ｔｅｓｔ  Ｍｅｔｈｏｄ  ｆｏｒ  Ｐａｒｔｉｃｌｅ  Ｓｉｚｅ  ｏｆ  Ｓｏａｐｓ  ａｎｄ  Ｏｔｈｅｒ  Ｄｅｔｅｒｇｅｎｔｓ」を使用して実施される。第７章「Ｐｒｏｃｅｄｕｒｅ  ｕｓｉｎｇ  ｍａｃｈｉｎｅ−ｓｉｅｖｉｎｇ  ｍｅｔｈｏｄ」に従って、本明細書で言及される粒径の範囲を網羅するために、米国標準（ＡＳＴＭ  Ｅ  １１）篩＃４（４．７５ｍｍ）、＃６（３．３５ｍｍ）、＃８（２．３６ｍｍ）、＃１２（１．７ｍｍ）、＃１６（１．１８ｍｍ）、＃２０（８５０ｕｍ）、＃３０（６００ｕｍ）、＃４０（４２５ｕｍ）、＃５０（３００ｕｍ）、＃７０（２１２ｕｍ）、＃１００（１５０ｕｍ）を含む清潔な乾燥した篩の入れ子を必要とする。規定された機械篩い法には、上記の入れ子状の篩が使用される。好適な篩振盪機は、Ｗ．Ｓ．Ｔｙｌｅｒ  Ｃｏｍｐａｎｙ（Ｏｈｉｏ，Ｕ．Ｓ．Ａ．）から入手することができる。篩振盪試験試料は約１００グラムであり、５分間振盪される。
【０１６９】
各篩のマイクロメートルサイズ開口部を対数横軸にプロットし、累積質量パーセント（Ｑ３）を線形縦軸にプロットする片対数プロット上に、データをプロットする。上記データ表現の例は、ＩＳＯ  ９２７６１：１９９８、「Ｒｅｐｒｅｓｅｎｔａｔｉｏｎ  ｏｆ  ｒｅｓｕｌｔｓ  ｏｆ  ｐａｒｔｉｃｌｅ  ｓｉｚｅ  ａｎａｌｙｓｉｓ−Ｐａｒｔ  １：Ｇｒａｐｈｉｃａｌ  Ｒｅｐｒｅｓｅｎｔａｔｉｏｎ」の図Ａ．４に記載されている。特徴的な粒径（Ｄｘ）は、この発明の目的において、累積質量パーセントがｘパーセントと等しい点における横軸値として定義され、以下の式を使用してｘ％値の直上（ａ）及び直下（ｂ）のデータ点間の直線補間によって計算される。
Ｄｘ＝１０＾［Ｌｏｇ（Ｄａ）−（Ｌｏｇ（Ｄａ）−Ｌｏｇ（Ｄｂ））×（Ｑａ−ｘ％）／（Ｑａ−Ｑｂ）］
（式中、Ｌｏｇは、１０を底とする対数であり、Ｑａ及びＱｂは、それぞれｘ百分位数の直上及び直下の測定データの累積質量百分位数であり、Ｄａ及びＤｂは、これらデータに対応するマイクロメートル篩サイズ値である。）
【０１７０】
【表１】
0006884878.tif 000004
【０１７１】
Ｄ１０（ｘ＝１０％）の場合、ＣＭＰＦが１０％（Ｄａ）の直上にあるミクロン篩サイズ（Ｄａ）は３００μｍであり、直下にあるスクリーン（Ｄｂ）は２１２μｍである。１０％の直上の累積質量（Ｑａ）は１５．２％であり、直下（Ｑｂ）は６．８％である。
Ｄ１０＝１０＾［Ｌｏｇ（３００）−（Ｌｏｇ（３００）−Ｌｏｇ（２１２））×（１５．２％−１０％）／（１５．２％−６．８％）］＝２４２ｕｍ
【０１７２】
Ｄ５０（ｘ＝５０％）の場合、ＣＭＰＦが５０％（Ｄａ）の直上にあるミクロン篩サイズ（Ｄａ）は１１８０μｍであり、直下にあるスクリーン（Ｄｂ）は８５０μｍである。９０％の直上の累積質量（Ｑａ）は９９．３％であり、直下（Ｑｂ）は８９．０％である。
Ｄ５０＝１０＾［Ｌｏｇ（６００）−（Ｌｏｇ（６００）−Ｌｏｇ（４２５））×（６０．３％−５０％）／（６０．３％−３２．４％）］＝５２８ｕｍ
【０１７３】
Ｄ９０（ｘ＝９０％）の場合、ＣＭＰＦが９０％（Ｄａ）の直上にあるミクロン篩サイズ（Ｄａ）は６００μｍであり、直下にあるスクリーン（Ｄｂ）は４２５μｍである。５０％の直上の累積質量（Ｑａ）は６０．３％であり、直下（Ｑｂ）は３２．４％である。
Ｄ９０＝１０＾［Ｌｏｇ（１１８０）−（Ｌｏｇ（１１８０）−Ｌｏｇ（８５０））×（９９．３％−９０％）／（９９．３％−８９．０％）］＝８７８ｕｍ
【０１７４】
直径試験法
走査型電子顕微鏡（ＳＥＭ）又は光学顕微鏡、及び画像解析ソフトウェアを使用して、離散繊維要素又は繊維構造体内の繊維要素の直径を求める。繊維要素を測定のために適切に拡大するように、２００〜１０，０００倍の倍率を選択する。ＳＥＭを使用する場合には、電子ビーム中での繊維要素の帯電及び振動を避けるために、試料を金又はパラジウム化合物でスパッタリングする。ＳＥＭ又は光学顕微鏡を用いて得られた画像（モニタースクリーン上）から繊維要素の直径を測定するにはマニュアルの手順を用いる。マウス及びカーソルツールを使用して、ランダムに選択された繊維要素の縁部を探し、その後、その幅（すなわち、その点における繊維要素の方向に対して垂直な）にわたって繊維要素の他方の縁部まで測定する。目盛り付きの較正された画像解析ツールにより、μｍ単位で実際の読取値を取得するための目盛りが提供される。繊維構造体内の繊維要素については、ＳＥＭ又は光学顕微鏡を用いて、繊維構造体の試料全体からいくつかの繊維要素をランダムに選択する。繊維構造体の少なくとも２つの部分を切り取り、この方法で試験する。統計解析のために、このような測定を全部で少なくとも１００回実施し、次いで、全てのデータを記録する。記録したデータを用いて、繊維要素の直径の平均値（平均）、繊維要素の直径の標準偏差、及び繊維要素の直径の中央値を計算する。
【０１７５】
別の有用な統計値として、特定の上限以下である繊維要素の集合の量を算出する。この統計値を決定するために、繊維要素の直径の結果のいくつが上限よりも小さいかをカウントするようにソフトウェアをプログラムし、そのカウント（データの合計数で除し、１００％を掛ける）を、上限よりも小さいパーセント（例えば直径が１マイクロメートル未満のパーセント又はサブミクロン％）として、パーセントで記録する。本発明者らは、個々の円形繊維要素に関し測定された直径（μｍで）をｄｉとして表す。
【０１７６】
繊維要素が非円形断面を有する場合、繊維要素の直径の測定値は、水力直径として求められ、水力直径と等しいものと設定される。水力直径とは繊維要素の断面積を４倍して、繊維要素の断面の周囲長さ（中空の繊維要素の場合は外周囲長さ）で除したものである。数−平均直径、あるいは平均直径は、以下のとおりに計算する：
【０１７７】
【数３】
0006884878.tif 000005
【０１７８】
ＱＢ０２６２５のためのマイクロＣＴ法
７μｍの等方性空間分解能でデータセットを取得することができるマイクロＣＴ  Ｘ線走査機器を使用して、試験する試料を撮像する。好適な機器の一例は、以下の設定で作動するＳＣＡＮＣＯシステムモデル５０マイクロＣＴスキャナ（Ｓｃａｎｃｏ  Ｍｅｄｉｃａｌ  ＡＧ，Ｂｒｕｔｔｉｓｅｌｌｅｎ，Ｓｗｉｔｚｅｒｌａｎｄ）である；エネルギーレベル：１３３μＡにおいて４５ｋＶｐ；投影：３０００；視野：３５ｍｍ；積分時間：７５０ｍｓ；４回の平均；及びボクセルサイズ：７μｍ。
【０１７９】
一方の封止された縁部から他方の端部までの線を切断して、２つの完全な封止された縁部が交わる先端部の下が約２０ｍｍの三角形を形成することによって、分析する試験試料を調製し、得られた切断面は、長さ約２８ｍｍである。調製された試料を、低減衰試料調製用取付発泡体の環の間に交互に重ねて平らに置き、走査のために直径３５ｍｍのプラスチック円筒管内に取り付ける。取り付けられた切断試料全ての体積全体がデータセットに含まれるように、試料の走査を取得する。
【０１８０】
試料内の繊維、粒子、及び空隙空間の体積百分率を確実にかつ繰り返し測定するために、粒子、繊維、及び空隙空間を定性的に評価することができる３Ｄスラブのデータを作成する製品の断面から試料の小さなサブボリュームを抽出する。この体積のデータを包含するマスクを作成する。マスクは、空隙体積測定値をバイアスする製品の外部に空隙要素を含んでいてはならない。更に、分析のために選択される製品の領域は、製品上の物理的ランドマークからの一定距離に基づく。
【０１８１】
体積の内部を３つの領域：１）粒子、２）繊維、及び３）空隙空間に分けるために、これら３つの領域を最適に分離する自動閾値化アルゴリズムを利用する。粒子は繊維よりも高密度であるので、セグメント化粒子のわずかな拡張の追加工程も実行すべきである。これにより、粒子の表面における予想される部分体積平均を考慮することができる。次いで、拡張されたセグメント化粒子は、計算された総体積を有することができる。次いで、下限閾値を使用して空気から繊維を分離する。繊維体積は、下限閾値を上回るボクセルの共通集合（intersection）であり、粒子領域の一部ではない。最後に、次いで、繊維及び粒子体積の和集合（union）から全体的なマスク体積を減じることによって空隙容積が得られる。
【０１８２】
この１つの実行は、２つのソフトウェアプラットフォーム：Ａｖｉｚｏ  ９．２．０及びＭａｔｌａｂ  Ｒ２０１６ｂ（いずれもＷｉｎｄｏｗｓ  ６４ｂｉｔワークステーション上で実行される）の使用を通して行われる。この場合、Ｓｃａｎｃｏ  ｍＣＴ５０  ３Ｄ  Ｘ線マイクロＣＴスキャナからデータを収集し、７マイクロメートルボクセルの解像度でデータを収集した。走査及び画像再構成が完了した後、スキャナは、ＩＳＱファイルと称される１６ビットのデータセットを作成し、ここで、グレーレベルはＸ線減衰の変化を反映し、ひいては、材料密度に関連する。この場合、ＩＳＱはかなり大きく、５０３８×５０３８×１３２６の寸法である。
【０１８３】
ＩＳＱファイルを、Ａｖｉｚｏ  ９．２．０に読み込む。０．１５のスケーリング係数を用いて８ビットに変換する。１１ｍｍだけオフセットされた１つの角部に対して斜めであるサブボリュームを選択する。分析のために厚さ３．５ｍｍのスラブを選択する。
【０１８４】
ロバストな自動閾値化スキームを適用するために、３つの試料のそれぞれからの断面スライスをＭａｔｌａｂ  Ｒ２０１６Ｂに読み込む。次いで、「ｍｕｌｔｉｔｈｒｅｓｈ（）」と呼ばれる関数を使用して、セグメントをＮ個の異なる領域（この例ではＮ＝２である）に分割する。この関数は、画像ヒストグラムの分布に基づいて最適なセグメント化を提供する、「大津の手法」と呼ばれる周知のアルゴリズムに基づく。次いで、３つの試料のこれらの閾値の平均値を選択した。この例では、繊維から粒子を分離する閾値は１２４であり、空気から繊維を分離する閾値は４８であった。半径１の球状構造化要素を使用する更なる拡張を、セグメント化された粒子データにおいて使用して、部分体積平均を補償する。次いで、Ａｖｉｚｏにおけるヒストグラム関数によって、繊維及び粒子及び総マスク体積に関連する総体積の計算が可能になる。次いで、総マスク体積から繊維及び粒子の体積を減じることから空隙体積が得られる。次いで、更なる分析又は可視化のために、これら結果をＥｘｃｅｌに転送してもよい。
【０１８５】
洗浄残渣試験法
洗浄残留試験は、布地上の洗剤残渣を定性的に測定する。各試験は、４つの比較製品試料を含み、各製品試料について４回繰り返す。試験は、５０°Ｆ＋／−１°Ｆに設定された水温制御システムに接続されたＷｈｉｒｌｐｏｏｌ  Ｄｕｅｔ洗濯機（型番ＷＦＷ  ９２００  ＳＱＯ２）を使用する。
【０１８６】
黒色のビロードポーチは、Ｅｑｕｅｓｔ  Ｕ．Ｋ．（電話番号（０１２０７）５２９９２０）から供給されている。
１．材料供給源：Ｄｅｎｈｏｌｍｅ  Ｖｅｌｖｅｔｓ，Ｈａｌｉｆａｘ  Ｒｏａｄ，Ｄｅｎｈｏｌｍｅ，Ｂｒａｄｆｏｒｄ，Ｗｅｓｔ  Ｙｏｒｋｓｈｉｒｅ，Ｅｎｇｌａｎｄ  ＢＤ１３４ＥＺ−電話番号（０１２７４）８３２６４６。
２．材料の種類：１５０ｃｍのＣ．Ｒ．コットンパイルビロード、品質８８９７、黒色、７２％綿、２８％モダル。
３．Ｅｑｕｅｓｔの縫合説明書：２３．５ｃｍ×４７ｃｍの黒色のビロードの矩形を切り取る。黒色のビロードの矩形を折り畳んで、内側がビロードの正方形を作る。オーバーロックステッチを使用し、正方形を２つの側面に沿って縫い付け、１つの開いた縁部を残す。ブランク識別ラベル（３×３ｃｍの平らな綿）を片側に縫い付ける。
【０１８７】
試験準備：
１．１つの開いている縁部において、ビロードが外側に来るようにポーチを裏返す。
２．製品コード及び内部／外部複製をマジックインキで識別ラベルに書き込む。
３．通常／中程度の汚れ及び通常／中程度の水硬度に対する水溶性単位用量製品の推奨される用量を、黒色ビロードポーチの右後角部に置く。
４．黒色ポーチの開放端部を２ｃｍの継ぎ目で折り畳み、開口部の全長に沿って幅２ｃｍの継ぎ目の中央において縫い目で閉じる。
５．合計で試験製品当たり４つの複製物を有するように、これら工程を繰り返す。
６．黒色ポーチを洗濯機に入れ、以下のとおり洗浄する。
【０１８８】
黒色ポーチの洗浄：
４つの黒色ビロードポーチを、交互に、図６に示すとおり、水溶性単位用量製品が全て互いに隣接するように互いに重ねて配置する。配置されたポーチをドラムの後部に置く。
【０１８９】
洗浄機をオンにし、５０°Ｆ＋／−１°Ｆ（水温制御システムを介して）及び硬度６ｇｐｇの混合水を使用して、デリケートな洗浄プログラムに設定し、追加のバラスト負荷は加えない。洗濯機で、洗浄サイクル全体を行う。洗浄サイクルの終了時に、ポーチを洗濯機から取り出し、確実に残渣を全くこぼさないように、３つの側面（折り畳まれた側を除いて全て）に沿って開ける。
【０１９０】
開けた直後にポーチを等級付けする。２人の独立した採点者の等級を記録する。データをラテン方格法として分析し、分析は、洗濯機及び製品位置を統計モデルに組み込む。最小二乗平均及び９５％信頼上限区間を構築する。水溶性単位用量製品は、平均目盛り単位の周りの９５％片側信頼上限区間が１未満である場合、試験に合格したとみなされる。
【０１９１】
洗浄後の袋の中／上に残っている残渣の目視観測によって等級付けを行う。
【０１９２】
以下の定性的尺度に従って黒色ポーチを等級付けする：
０＝残渣なし
０．５＝最大直径１ｃｍの非常に小さいスポット
１＝それぞれ最大直径２ｃｍの最高３つの小さな拡散スポット、スポットは平坦（すなわちフィルム様）であり、半透明である。
２＝それぞれ直径２ｃｍの３つを超える小さな拡散スポット、最大で黒色のポーチ全体が平坦な半透明の残渣で覆われる。
２．５＝直径１ｃｍ未満の小さな不透明残渣（すなわち、ゲル様）。
３＝直径１ｃｍ〜２ｃｍの不透明残基（例えば、ゲル様）。
４＝直径３ｃｍ〜４ｃｍの不透明残基（例えば、ゲル様）。
５＝直径４〜６ｃｍの直径を有する厚いゲル様残渣。
６＝直径＞６ｃｍの直径を有する厚いゲル様残渣。
７＝製品は、実質的に溶解せず、残渣は、軟らかくゲル様である。
８＝製品は、実質的に溶解せず、残渣は、硬く弾性であり（シリコーンのような感触）、グレード８は、製品が汚染されていた可能性があることを示すため、特別である。
【実施例】
【０１９３】
（実施例１）
図３に示すように、第１の紡糸ビームを使用して繊維要素の第１の層を紡糸し、形成ベルト上に回収する。次いで、繊維の第１の層を有する形成ベルトを、粒子添加システムで改造された第２の紡糸ビームの下を通過させる。粒子添加システムは、第２の紡糸ビームから繊維要素の直下にある形成ベルト上のランディングゾーンに向かって粒子を実質的に注入することができる。好適な粒子添加システムは、振動、ベルト又はスクリューフィーダーなどの粒子フィーダー、及びエアナイフ又は他の流動化搬送システムなどの射出システムから組み立てられ得る。横断方向における粒子の一貫した分布を支援するために、好ましくは、粒子が複合構造体の全幅にわたって送達されることを確実にするために、粒子を紡糸ダイとほぼ同じ幅にわたって供給する。好ましくは、粒子フィーダーは、粒子供給材料の破壊を最小限に抑えるために、出口を除いて完全に取り囲まれる。第２の紡糸ビーム下の形成ベルト上において粒子及び繊維要素が共衝突することによって、粒子パッキングが拡張され、繊維が粒子間孔に実質的に浸透する複合構造体が作り出される。
【０１９４】
以下の表１に、繊維要素を作製するために使用される、本発明の乾燥した繊維組成物の非限定的な例を記載する。繊維要素を作製するために、好ましくは約４５％〜６０％の固形分含有量を有する水溶液を、図３に示すように１つ以上の紡糸ビームを通して加工する。好適な紡糸ビームは、細長化空気流を有するキャピラリーダイと、形成ベルト上で衝突する前に細長化した繊維を実質的に乾燥させるのに好適な乾燥空気流とを含む。
【０１９５】
【表２】
0006884878.tif 000006
【０１９６】
以下の表２に、本発明の粒子組成物の非限定的な例を記載する。粒子は、粉砕、噴霧乾燥、凝集、押出、造粒、封入、錠剤化、及びこれらの任意の組み合わせを含む様々な好適なプロセスによって作製され得る。添加前に１つ以上の粒子を一緒に混合してもよい。
【０１９７】
【表３】
0006884878.tif 000007
【０１９８】
得られた製品を表３に例示し、製品のための未希釈のシャーシ組成物を用いて、繊維及び粒子成分（それぞれ表１及び２から）による製品シャーシの構造の詳細を提供する。香料、酵素、抑泡剤、漂白剤などの他の製品補助材料をシャーシに添加してもよいことに留意されたい。
【０１９９】
各シャーシについての洗浄残渣試験等級を示す。シャーシは、かなりの比率のエトキシル化アニオン性界面活性剤（ＡＥＳ）を有する多様な洗剤製品を例示する。
【０２００】
【表４】
0006884878.tif 000008
【０２０１】
実施例１の原材料
ＬＡＳは、Ｓｔｅｐａｎ（Ｎｏｒｔｈｆｉｅｌｄ，Ｉｌｌｉｎｏｉｓ，ＵＳＡ）又はＨｕｎｔｓｍａｎ  Ｃｏｒｐによって供給されている、平均脂肪族炭素鎖長Ｃ１１〜Ｃ１２を有する直鎖状アルキルベンゼンスルホネートである。ＨＬＡＳは、酸形態である。
【０２０２】
ＡＥＳは、Ｓｔｅｐａｎ（Ｎｏｒｔｈｆｉｅｌｄ，Ｉｌｌｉｎｏｉｓ，ＵＳＡ）又はＳｈｅｌｌ  Ｃｈｅｍｉｃａｌｓ（Ｈｏｕｓｔｏｎ，ＴＸ，ＵＳＡ）によって供給されている、Ｃ１２〜１４アルキルエトキシ（３）サルフェート、Ｃ１４〜１５アルキルエトキシ（２．５）サルフェート、又はＣ１２〜１５アルキルエトキシ（１．８）サルフェートである。
【０２０３】
ＡＳは、Ｓｔｅｐａｎ（Ｎｏｒｔｈｆｉｅｌｄ，Ｉｌｌｉｎｏｉｓ，ＵＳＡ）によって供給されているＣ１２〜１４サルフェート、及び／又は中鎖分枝状アルキルサルフェートである。
【０２０４】
分散剤ポリマー（分散ポリマー）は、ＢＡＳＦ（Ｌｕｄｗｉｇｓｈａｆｅｎ，Ｇｅｒｍａｎｙ）によって供給されている、分子量７０，０００及びアクリレート：マレエート比＝７０：３０である。
【０２０５】
ＰＥＧ−ＰＶＡｃポリマーは、ポリエチレンオキシド骨格鎖及び複数のポリ酢酸ビニル側鎖を有する、ポリ酢酸ビニルグラフト化ポリエチレンオキシドコポリマーである。ポリエチレンオキシド骨格鎖の分子量は、約６０００であり、ポリエチレンオキシドのポリ酢酸ビニルに対する重量比は、約４０〜６０であり、５０のエチレンオキシド単位当たり１個以下のグラフト点である。ＢＡＳＦ（Ｌｕｄｗｉｇｓｈａｆｅｎｍ，Ｇｅｒｍａｎｙ）より販売される。
【０２０６】
エトキシル化ポリエチレンイミン（ＰＥ２０）は、−ＮＨ当たり２０のエトキシレート基を有する、６００ｇ／モル分子量のポリエチレンイミンコアである。ＢＡＳＦ（Ｌｕｄｗｉｇｓｈａｆｅｎｍ，Ｇｅｒｍａｎｙ）より販売される。
【０２０７】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば「４０ｍｍ」として開示される寸法は、「約４０ｍｍ」を意味するものとする。
【０２０８】
明瞭にする目的のために、合計「重量％」値は、１００重量％を超えない。
【０２０９】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０２１０】
本発明の特定の実施例及び／又は実施形態について図示し説明したが、本発明の趣旨及び範囲から逸脱することなく、他の様々な変更及び修正を実施できることが当業者には明白であろう。したがって、本発明の範囲内に含まれるそのような全ての変更及び修正は、添付の特許請求の範囲にて網羅することを意図したものである。
【図１】
0006884878.tif 000009
【図２】
0006884878.tif 000010
【図３】
0006884878.tif 000011